(57)【要約】  基準画像取得部（１７１）は、携帯機器（１）の種類を識別するための携帯機器識別情報に基づき、端末機器（２）と近接無線通信可能な位置に携帯機器（１）を案内するための基準画像を取得し、基準画像表示制御部（１７２）は、基準画像取得部（１７１）によって取得された基準画像を、携帯機器（１）を端末機器（２）に近接させる際の端末機器（２）に対向する面とは反対の面に設けられた表示部（１２）に表示し、基準画像補正部（１７３）は、端末機器（２）の表面に形成された目標マークと、表示部（１２）に表示される基準画像とを一致させる画像移動操作に応じて、基準画像の位置を補正する。
2013128816.tif 000002
【特許請求の範囲】
【請求項１】
近接無線通信を利用して外部装置と通信する通信装置であって、
前記近接無線通信のための電波を送受信するアンテナ部と、
前記通信装置を前記外部装置に近接させる際の前記外部装置に対向する面とは反対の面に設けられた表示部と、
前記通信装置の種類を識別するための通信装置識別情報に基づき、前記外部装置と前記近接無線通信可能な位置に前記通信装置を案内するための基準画像を取得する基準画像取得部と、
前記基準画像取得部によって取得された前記基準画像を前記表示部に表示する基準画像表示制御部と、
前記外部装置の表面に形成された目標マークと、前記表示部に表示される前記基準画像とを一致させる画像移動操作に応じて、前記基準画像の位置を補正する基準画像補正部とを備えることを特徴とする通信装置。
【請求項２】
近接無線通信を利用して外部装置と通信するための通信方法であって、
通信装置の種類を識別するための通信装置識別情報に基づき、前記外部装置と前記近接無線通信可能な位置に前記通信装置を案内するための基準画像を取得する基準画像取得ステップと、
前記基準画像取得ステップにおいて取得された前記基準画像を、前記通信装置を前記外部装置に近接させる際の前記外部装置に対向する面とは反対の面に設けられた表示部に表示する基準画像表示制御ステップと、
前記外部装置の表面に形成された目標マークと、前記表示部に表示される前記基準画像とを一致させる画像移動操作に応じて、前記基準画像の位置を補正する基準画像補正ステップとを含むことを特徴とする通信方法。
【請求項３】
近接無線通信を利用して外部装置と通信するための通信プログラムであって、
通信装置の種類を識別するための通信装置識別情報に基づき、前記外部装置と前記近接無線通信可能な位置に前記通信装置を案内するための基準画像を取得する基準画像取得部と、
前記基準画像取得部によって取得された前記基準画像を、前記通信装置を前記外部装置に近接させる際の前記外部装置に対向する面とは反対の面に設けられた表示部に表示する基準画像表示制御部と、
前記外部装置の表面に形成された目標マークと、前記表示部に表示される前記基準画像とを一致させる画像移動操作に応じて、前記基準画像の位置を補正する基準画像補正部としてコンピュータを機能させることを特徴とする通信プログラム。
【請求項４】
近接無線通信を利用して外部装置と通信する通信装置へ、ネットワークを介してプログラムを送信するサーバ装置であって、
前記プログラムは、前記通信装置を、
前記通信装置の種類を識別するための通信装置識別情報に基づき、前記外部装置と前記近接無線通信可能な位置に前記通信装置を案内するための基準画像を含む画像情報を取得し、
前記通信装置を前記外部装置に近接させる際の前記外部装置に対向する面とは反対の面に設けられた、前記通信装置が備える表示部に、前記取得された画像情報に基づいて前記基準画像を表示し、
前記外部装置の表面に形成された目標マークの位置と、前記表示部に表示される前記基準画像の位置とを一致させる画像移動操作に応じて、前記基準画像の表示位置を補正する
通信装置として機能させるプログラムであることを特徴とするサーバ装置。
【請求項５】
前記プログラムは、前記通信装置を、さらに、
前記補正された基準画像の表示位置を示す第１補正情報を作成し、
前記作成された第１補正情報を、前記基準画像に対応付けて記憶する
通信装置として機能させるプログラムであることを特徴とする請求項４記載のサーバ装置。
【請求項６】
前記プログラムは、前記通信装置を、さらに、
前記補正された基準画像の表示位置を示す第１補正情報を作成し、
前記作成された第１補正情報を送信する
通信装置として機能させるプログラムであることを特徴とする請求項４記載のサーバ装置。
【請求項７】
前記プログラムは、前記通信装置を、さらに、
前記基準画像を、前記画像情報に含まれる、基準画像の表示位置を示す第２補正情報に示される表示位置に表示する
通信装置として機能させるプログラムであることを特徴とする請求項４記載のサーバ装置。
【請求項８】
前記プログラムは、前記通信装置を、さらに、
前記通信装置識別情報と、前記外部装置を識別するための外部装置識別情報とに基づいて定まる基準画像を含む画像情報を取得する
通信装置として機能させるプログラムであることを特徴とする請求項４記載のサーバ装置。
【請求項９】
前記プログラムは、前記通信装置を、さらに、
複数の第１補正情報を作成し、
前記作成された複数の第１補正情報を平均化する
通信装置として機能させるプログラムであることを特徴とする請求項５記載のサーバ装置。
【請求項１０】
前記プログラムは、前記通信装置を、さらに、
前記通信装置が備える撮像部を用いて前記外部装置を撮像し、
前記撮像された撮像画像内における前記外部装置を判別し、前記外部装置に設けられた前記近接無線通信のための電波を送受信するアンテナ部の位置を示すマーカ画像を、前記撮像画像内の判別された前記外部装置の画像に重畳する
通信装置として機能させるプログラムであることを特徴とする請求項４記載のサーバ装置。
【請求項１１】
近接無線通信を利用して外部装置と通信する通信装置とネットワークを介して接続されるサーバ装置であって、
前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて記憶する基準画像記憶部と、
前記通信装置から前記通信装置識別情報を受信する通信装置識別情報受信部と、
前記通信装置識別情報受信部によって受信された前記通信装置識別情報に基づいて前記基準画像記憶部から前記基準画像を選択し、選択した前記基準画像を前記通信装置へ送信する基準画像送信部と、
前記位置補正情報を前記通信装置から受信し、受信した前記位置補正情報に、前記基準画像記憶部に記憶されている前記位置補正情報を更新する位置補正情報受信部とを備えることを特徴とするサーバ装置。
【請求項１２】
前記位置補正情報受信部は、前記通信装置識別情報に対応する複数の位置補正情報を受信し、
前記位置補正情報受信部によって受信された前記通信装置識別情報に対応する複数の位置補正情報を平均化する平均化部をさらに備えることを特徴とする請求項１１記載のサーバ装置。
【請求項１３】
近接無線通信を利用して外部装置と通信する通信装置とネットワークを介して接続されるサーバ装置で実行される通信方法であって、
前記通信装置から前記通信装置の種類を識別するための通信装置識別情報を受信し、
前記受信された通信装置識別情報と対応付けられて記憶部に記憶されている、前記外部装置と前記近接無線通信可能な位置に前記通信装置を案内するための基準画像を前記通信装置へ送信し、
前記送信された基準画像を表示する表示位置を補正する第１補正情報を前記通信装置から受信し、
前記受信された第１補正情報に基づいて、前記受信された通信装置識別情報と対応付けられて記憶部に記憶されている、補正された前記基準画像の位置を示す第２補正情報を更新することを特徴とする通信方法。
【請求項１４】
前記通信方法は、さらに、
前記受信された通信装置識別情報と対応付けられて記憶されている第２補正情報を前記通信装置へ送信する
ことを特徴とする請求項１３記載の通信方法。
【請求項１５】
前記通信方法は、さらに、
前記外部装置を識別するための外部装置識別情報を前記通信装置から受信し、
前記受信された外部装置識別情報に基づいて、前記受信された通信装置識別情報と対応付けられて記憶されている基準画像を前記通信装置へ送信する
ことを特徴とする請求項１３記載の通信方法。
【請求項１６】
近接無線通信を利用して前記外部装置と通信する通信装置と、前記通信装置とネットワークを介して接続されるサーバ装置とを備える通信システムであって、
前記通信装置は、
前記近接無線通信のための電波を送受信するアンテナ部と、
前記通信装置を前記外部装置に近接させる際の前記外部装置に対向する面とは反対の面に設けられた表示部と、
前記通信装置の種類を識別するための通信装置識別情報に基づき、前記外部装置と前記近接無線通信可能な位置に前記通信装置を案内するための基準画像を取得する基準画像取得部と、
前記基準画像取得部によって取得された前記基準画像を前記表示部に表示する基準画像表示制御部と、
前記外部装置の表面に形成された目標マークと、前記表示部に表示される前記基準画像とを一致させる画像移動操作に応じて、前記基準画像の位置を補正する基準画像補正部とを備え、
前記サーバ装置は、
前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて記憶する基準画像記憶部と、
前記通信装置から前記通信装置識別情報を受信する通信装置識別情報受信部と、
前記通信装置識別情報受信部によって受信された前記通信装置識別情報に基づいて前記基準画像記憶部から前記基準画像を選択し、選択した前記基準画像を前記通信装置へ送信する基準画像送信部と、
前記位置補正情報を前記通信装置から受信し、受信した前記位置補正情報に、前記基準画像記憶部に記憶されている前記位置補正情報を更新する位置補正情報受信部とを備えることを特徴とする通信システム。
【発明の詳細な説明】
【技術分野】
【０００１】
本発明は、近接無線通信を利用して外部装置と通信する通信装置、通信方法及び通信プログラム、近接無線通信を利用して外部装置と通信する通信装置とネットワークを介して接続されるサーバ装置、サーバ装置の情報更新方法、及び通信装置とサーバ装置とを備える通信システムに関するものである。
【背景技術】
【０００２】
従来、ＲＦＩＤ（Ｒａｄｉｏ  Ｆｒｅｑｕｅｎｃｙ  ＩＤｅｎｔｉｆｉｃａｔｉｏｎ）などを用いて機器間で近接無線通信を行う技術が提案されている。このような近接無線通信は、通信距離が短く、通信を行う２つの無線通信機器のアンテナ同士を接近させる必要がある。無線通信機器のアンテナが実装されている面には、アンテナの位置を表すマークが付されており、ユーザは２つの無線通信機器のマーク同士を接近させて、２つの無線通信機器間で通信を行わせる。【０００３】
アンテナの位置を示すマークは、２つの無線通信機器を近接させることで、無線通信機器の陰に隠れてしまう。したがって、ユーザは、２つの無線通信機器間で通信を行わせるときに、互いのアンテナを正確に接近させることが困難であった。特に、携帯電話機に内蔵されるＲＦＩＤはアンテナの出力を上げることができないため、数ｍｍ単位でのアンテナ同士の位置合わせが必要であり、互いのアンテナを正確に接近させることが困難である。【０００４】
そこで、例えば、特許文献１では、携帯通信端末が、ケースに内蔵された近距離無線通信用のアンテナの位置を表示装置に補助表示させることが開示されている。また、例えば、特許文献２では、情報読取装置の表示部の表面又は裏面にアンテナが設けられており、ユーザが表示部のどの位置にＩＣカードをかざせばよいかの目安となるガイド図形が表示部に表示され、ガイド図形の表示位置が電波強度又は通信エラー回数に応じて変更されることが開示されている。【０００５】
しかしながら、通信装置に内蔵されるアンテナの位置は、通信装置の種類毎に異なる。そのため、通信装置は、自身のアンテナの位置を表す情報を記憶しておくことが必要であるが、アンテナの位置を表す情報を全ての種類の通信装置に提供することは非常に困難である。【０００６】
また、アンテナの位置には個体差があるため、同じ種類の通信装置であっても、アンテナの位置が異なる場合がある。例えば、特許文献１のように、予め決められたアシストマークが表示装置に表示される場合、当該アシストマークがアンテナの位置を正しく表していないおそれがある。【０００７】
また、例えば、特許文献２では、携帯機器の通信相手となる情報読取装置（ノート型パーソナルコンピュータ）の表示部にガイド図形を表示しているが、携帯機器自身にガイド図形を表示することについては開示されていない。【０００８】
さらに、通信相手となる家電機器にアンテナの位置をガイドするためのライン又はアイコンを設けることは、家電機器のデザイン性を損なうおそれがある。
【先行技術文献】
【特許文献】
【０００９】
【特許文献１】特開２００９−３３５９０号公報
【特許文献２】特開２０１０−２１１５７７号公報
【発明の概要】
【００１０】
本発明は、上記の問題を解決するためになされたもので、通信装置のアンテナと外部機器のアンテナとの位置合わせを正確に行うことができる通信装置、通信方法、通信プログラム、サーバ装置、サーバ装置の情報更新方法、及び通信システムを提供することを目的とするものである。
【００１１】
本発明の一局面に係る通信装置は、近接無線通信を利用して外部装置と通信する通信装置であって、前記近接無線通信のための電波を送受信するアンテナ部と、前記通信装置を前記外部装置に近接させる際の前記外部装置に対向する面とは反対の面に設けられた表示部と、前記通信装置の種類を識別するための通信装置識別情報に基づき、前記外部装置と前記近接無線通信可能な位置に前記通信装置を案内するための基準画像を取得する基準画像取得部と、前記基準画像取得部によって取得された前記基準画像を前記表示部に表示する基準画像表示制御部と、前記外部装置の表面に形成された目標マークと、前記表示部に表示される前記基準画像とを一致させる画像移動操作に応じて、前記基準画像の位置を補正する基準画像補正部とを備える。
【００１２】
この構成によれば、アンテナ部は、近接無線通信のための電波を送受信する。表示部は、通信装置を外部装置に近接させる際の外部装置に対向する面とは反対の面に設けられる。基準画像取得部は、通信装置の種類を識別するための通信装置識別情報に基づき、外部装置と近接無線通信可能な位置に通信装置を案内するための基準画像を取得する。基準画像表示制御部は、基準画像取得部によって取得された基準画像を表示部に表示する。基準画像補正部は、外部装置の表面に形成された目標マークと、表示部に表示される基準画像とを一致させる画像移動操作に応じて、基準画像の位置を補正する。
【００１３】
本発明によれば、外部装置と近接無線通信可能な位置に通信装置を案内するための基準画像が表示され、外部装置の表面に形成された目標マークと、表示部に表示される基準画像とを一致させる画像移動操作に応じて、基準画像の位置が補正される。これにより、補正された基準画像を用いて通信装置のアンテナと外部機器のアンテナとの位置合わせを正確に行うことができる。
【００１４】
本発明の目的、特徴及び利点は、以下の詳細な説明と添付図面とによって、より明白となる。
【図面の簡単な説明】
【００１５】
【図１】本発明の実施の形態１における通信システムの構成を示す図である。
【図２】（Ａ）は、本発明の実施の形態１における携帯機器の裏面を示す図であり、（Ｂ）は、本発明の実施の形態１における携帯機器の表面を示す図であり、（Ｃ）は、本発明の実施の形態１における携帯機器の側面を示す図である。
【図３】本発明の実施の形態１における携帯機器の内部構成を示す図である。
【図４】基準画像記憶部に記憶される基準画像情報の一例を示す図である。
【図５】本発明の実施の形態１におけるサーバの内部構成を示す図である。
【図６】基準画像管理データベースに記憶される基準画像情報の一例を示す図である。
【図７】本発明の実施の形態１における通信システムの動作について説明するための第１のフローチャートである。
【図８】本発明の実施の形態１における通信システムの動作について説明するための第２のフローチャートである。
【図９】本発明の実施の形態１における通信システムの動作について説明するための第３のフローチャートである。
【図１０】表示部に表示される端末機器選択画面の一例を示す図である。
【図１１】図８のステップＳ１３において、基準画像が補正されていない場合の携帯機器の表示部に表示される基準画像を示す図である。
【図１２】図８のステップＳ１８において、端末機器２との近接無線通信が確立した時点での携帯機器を示す図である。
【図１３】図９のステップＳ１９において、ユーザによる基準画像の補正操作を説明するための図である。
【図１４】図８のステップＳ１３において、基準画像が既に補正されている場合の携帯機器の表示部に表示される基準画像を示す図である。
【図１５】携帯機器が端末機器の製品番号情報を取得できない場合であり、かつ基準画像が補正されていない場合の携帯機器の表示部に表示される基準画像を示す図である。
【図１６】携帯機器が端末機器の製品番号情報を取得できない場合であり、かつ端末機器２との近接無線通信が確立した時点での携帯機器を示す図である。
【図１７】携帯機器が端末機器の製品番号情報を取得できない場合において、ユーザによる基準画像の補正操作を説明するための図である。
【図１８】携帯機器が端末機器の製品番号情報を取得できない場合であり、かつ基準画像が既に補正されている場合の携帯機器の表示部に表示される基準画像を示す図である。
【図１９】本発明の実施の形態１の第２の変形例において、携帯機器が端末機器から製品番号情報を取得する場合における通信システムの動作について説明するための第１のフローチャートである。
【図２０】本発明の実施の形態１の第２の変形例において、携帯機器が端末機器から製品番号情報を取得する場合における通信システムの動作について説明するための第２のフローチャートである。
【図２１】本発明の実施の形態１の第２の変形例において、携帯機器が端末機器から製品番号情報を取得する場合における通信システムの動作について説明するための第３のフローチャートである。
【図２２】図１９のステップＳ３３において、近接無線通信部１５がポーリング信号の送信を開始した後、表示部１２に表示されるメッセージを示す図である。
【図２３】図２０のステップＳ４６において、基準画像を表示した時点での携帯機器を示す図である。
【図２４】図２０のステップＳ４７において、ユーザによる基準画像の補正操作を説明するための図である。
【図２５】図２０のステップＳ４７において、基準画像が既に補正されている場合の携帯機器の表示部に表示される基準画像を示す図である。
【図２６】本発明の実施の形態２における携帯機器の内部構成を示す図である。
【図２７】本発明の実施の形態３における携帯機器の内部構成を示す図である。
【図２８】（Ａ）は、本発明の実施の形態３における携帯機器の裏面を示す図であり、（Ｂ）は、本発明の実施の形態３における携帯機器の表面を示す図であり、（Ｃ）は、本発明の実施の形態３における携帯機器の側面を示す図である。
【図２９】端末機器と、端末機器を撮像した際に携帯機器の表示部に表示される画像の一例を示す図である。
【図３０】端末機器との近接無線通信が確立した時点での携帯機器を示す図である。
【図３１】ユーザによる基準画像の補正操作を説明するための図である。
【図３２】本発明の実施の形態４における通信システムの構成を示す図である。
【図３３】本発明の実施の形態４におけるダウンロードサーバの構成を示す図である。
【発明を実施するための形態】
【００１６】
以下添付図面を参照しながら、本発明の実施の形態について説明する。なお、以下の実施の形態は、本発明を具体化した一例であって、本発明の技術的範囲を限定するものではない。
【００１７】
（実施の形態１）
図１は、本発明の実施の形態１における通信システムの構成を示す図である。図１に示す通信システムは、携帯機器１と、端末機器２と、サーバ３とを備える。
【００１８】
携帯機器１は、例えば携帯電話機などの通信装置から構成され、ループアンテナ１１を介して近接無線通信を利用して端末機器２と通信するとともに、ネットワーク４を介してサーバ３と通信可能に接続されている。携帯機器１は、端末機器２のパッシブ／アクティブＲＦＩＤタグと通信可能なＮＦＣ（Ｎｅａｒ  Ｆｉｅｌｄ  Ｃｏｍｍｕｎｉｃａｔｉｏｎ）リーダ／ライタを備える機器であればどのような機器であってもよいが、可搬性のある機器がより好ましい。
【００１９】
端末機器２は、例えばテレビ、冷蔵庫、洗濯機及び電子レンジなどの家電機器から構成され、近接無線通信により携帯機器１と通信可能に接続される。なお、端末機器２は、家電機器だけでなく、住設機器、住環境を測定及び検知するセンサなども含めた、家庭内外で使用される電化製品である。端末機器２は、パッシブ／アクティブＲＦＩＤタグによってＮＦＣリーダ／ライタと通信可能な機器であればどのような機器であってもよい。端末機器２は、コントローラ２０１、メインメモリ２０２、近接無線通信部２０３及びループアンテナ２０４を備える。
【００２０】
なお、携帯機器１がＮＦＣリーダ／ライタの代わりにパッシブ／アクティブＲＦＩＤタグを備え、端末機器２がパッシブ／アクティブＲＦＩＤタグの代わりにＮＦＣリーダ／ライタを備えてもよい。ここでは、携帯機器１は、ＮＦＣリーダ／ライタを備え、端末機器２はパッシブ／アクティブＲＦＩＤタグを備えるものとして説明する。
【００２１】
コントローラ２０１は、ＣＰＵ（中央演算処理装置）等から構成され、近接無線通信部２０３の動作を制御するとともに、近接無線通信部２０３を介して受信した情報等に応じてメインメモリ２０２の動作を制御する。
【００２２】
メインメモリ２０２には、端末機器２を識別するための端末機器識別情報（製品番号情報）、例えば端末機器２の型番号及びシリアルナンバー等が製造時等に予め記憶される。また、メインメモリ２０２には、端末機器２の使用履歴及び不具合情報などの内部情報が記憶される。なお、メインメモリ２０２は、端末機器をサーバのデータベースに登録するために、端末機器のメーカが特定できる情報、製造日が特定できる情報、及び製造工程が特定できる情報などを含むことが好ましい。また、メインメモリ２０２は、端末機器２の製造メーカ毎に異なるサーバにアクセスするためのサーバ特定情報（例えばＵＲＩ（Ｕｎｉｆｏｒｍ  Ｒｅｓｏｕｒｃｅ  Ｉｄｅｎｔｉｆｉｅｒ））を含むことが好ましい。これにより、携帯機器１からサーバ３へ容易にアクセスすることが可能となる。また、ＵＲＩを端末機器２のメインメモリ２０２に保持することによって、携帯機器１は、どのような機種であっても、端末機器２に固有のサーバへ、アクセスすることが可能となる。
【００２３】
なお、サーバ３は、端末機器２の製造メーカに固有のサーバや、端末機器２に固有のサーバに限られない。サーバ３は、携帯機器１で起動されるアプリケーションにより特定されてもよい。サーバ３は、ユーザの選択により特定されてもよい。
【００２４】
近接無線通信部２０３は、ループアンテナ２０４を介して無線方式により双方向で種々の情報を携帯機器１と送信及び受信する。
【００２５】
ループアンテナ２０４は、近接無線通信を行うためのアンテナである。本実施の形態では、近接無線通信として、１３．５６ＭＨｚ帯を用いるＨＦ（Ｈｉｇｈ  Ｆｒｅｑｕｅｎｃｙ）帯域のＲＦＩＤ又はＮＦＣを想定しているが、この周波数帯に限定されることはない。近接無線通信の周波数帯は、９０ＭＨｚ〜１ＧＨｚのＵＨＦ（Ｕｌｔｒａ  Ｈｉｇｈ  Ｆｒｅｑｕｅｎｃｙ）帯であってもよく、２ＧＨｚ帯を越える周波数帯であってもよい。
【００２６】
図２は、本発明の実施の形態１における携帯機器の外観構成を示す図である。図２（Ａ）は、本発明の実施の形態１における携帯機器の裏面を示す図である。図２（Ｂ）は、本発明の実施の形態１における携帯機器の表面を示す図である。図２（Ｃ）は、本発明の実施の形態１における携帯機器の側面を示す図である。
【００２７】
図２（Ａ）〜図２（Ｃ）に示すように、携帯機器１にはループアンテナ１１が内蔵されている。携帯機器１の表面には、表示部１２が設けられている。ループアンテナ１１の指向方向は、表面から裏面に向かう方向であり、表示部１２の表示方向とは反対の方向を向いている。
【００２８】
図３は、本発明の実施の形態１における携帯機器の内部構成を示す図である。図３に示す携帯機器１は、ループアンテナ１１、表示部１２、システム制御部１３、メモリ部１４、近接無線通信部１５、操作部１６、表示制御部１７、移動網通信部１８、アンテナ１９及びスピーカ２０を備える。
【００２９】
ループアンテナ１１は、携帯機器１に内蔵されており、近接無線通信のための電波を送受信する。ループアンテナ１１は、携帯機器１の種類毎に異なる位置に配置される。
【００３０】
表示部１２は、携帯機器１を端末機器２に近接させる際の端末機器２に対向する面とは反対の面に設けられ、種々の情報を表示する。なお、ループアンテナ１１は、表示部１２の表示範囲内（図２（Ｃ）において、表示部１２に囲まれる範囲内）に配置されることが好ましい。
【００３１】
システム制御部１３は、携帯機器１の全体を制御する。システム制御部１３は、操作部１６によって入力された操作に基づいて、メモリ部１４、近接無線通信部１５、表示制御部１７、移動網通信部１８及びスピーカ２０を制御する。
【００３２】
メモリ部１４は、識別情報記憶部１４１及び基準画像情報記憶部１４２を備える。識別情報記憶部１４１は、携帯機器１の種類を識別するための携帯機器識別情報を記憶する。携帯機器識別情報は、例えば携帯機器１の製品番号、製造番号又はシリアル番号であり、製造時等に予め記憶される。基準画像情報記憶部１４２は、端末機器２と近接無線通信可能な位置に携帯機器１を案内するための基準画像を含む基準画像情報を記憶する。基準画像情報は、サーバ３から取得され、基準画像情報記憶部１４２に記憶される。また、基準画像情報は、補正された基準画像の位置を示す位置補正情報をさらに含む。
【００３３】
図４は、基準画像記憶部に記憶される基準画像情報の一例を示す図である。
【００３４】
図４に示すように、基準画像情報記憶部１４２は、基準画像と位置補正情報とを含む基準画像情報を、端末機器２の製品番号毎に記憶する。
【００３５】
基準画像情報記憶部１４２は、表示部１２の表示画面の例えば左下を原点とし、原点から水平方向をｘ軸方向とし、原点から垂直方向をｙ軸方向とする。基準画像情報記憶部１４２は、基準画像をｘ軸方向又はｙ軸方向にどれだけ移動させたかを表す座標値を位置補正情報として記憶する。なお、座標値は、例えば、表示部１２の画素位置である。
【００３６】
基準画像情報記憶部１４２は、端末機器２の製品番号が指定されていない場合、中央に十字の図形が描かれた基準画像を記憶する。また、基準画像が補正されていない場合、位置補正情報は、ｘ軸方向及びｙ軸方向ともに０（ｘ０，ｙ０）となる。また、基準画像は、端末機器２の表面に形成された目標マークに連続的に繋がる画像であることが好ましい。例えば、図４において、製品番号「ＮＡ−ＸＸＸ」に対応する基準画像は、端末機器２（例えば、洗濯乾燥機）の表面に形成された、「洗い」、「すすぎ」及び「乾燥」等の操作ボタン及びロゴマークに連続的に繋がる画像となっている。これにより、端末機器２の表面に形成された目標マークと、表示部１２に表示される基準画像とを一致させる画像移動操作が容易となる。
【００３７】
また、製品番号「ＮＡ−ＸＸＸ」に対応する位置補正情報は、基準画像が補正されているため、基準画像を移動させるための座標値（ｘ１，ｙ１）となる。
【００３８】
なお、目標マークは、端末機器２のアンテナ近傍の表面に形成された図形であればよい。また、目標マークは、ロゴマーク又は操作ボタンなどの文字であってもよい。
【００３９】
図３に戻って、近接無線通信部１５は、ループアンテナ１１を介して近接無線通信を利用して端末機器２と通信する。
【００４０】
操作部１６は、例えばタッチパネル又は操作キーなどで構成され、ユーザによる入力操作を受け付ける。
【００４１】
表示制御部１７は、表示部１２を制御する。表示制御部１７は、基準画像取得部１７１、基準画像表示制御部１７２、基準画像補正部１７３及び位置補正情報作成部１７４を備える。
【００４２】
基準画像取得部１７１は、携帯機器１の種類を識別するための携帯機器識別情報に基づき、端末機器２と近接無線通信可能な位置に携帯機器１を案内するための基準画像を取得する。また、基準画像取得部１７１は、携帯機器識別情報と、端末機器２を識別するための製品番号情報とに基づき、基準画像を取得する。
【００４３】
基準画像表示制御部１７２は、基準画像取得部１７１によって取得された基準画像を表示部１２に表示する。
【００４４】
基準画像補正部１７３は、端末機器２の表面に形成された目標マークと、表示部１２に表示される基準画像とを一致させる画像移動操作に応じて、基準画像の位置を補正する。また、基準画像補正部１７３は、基準画像取得部１７１によって取得された基準画像を、基準画像取得部１７１によって取得された位置補正情報に基づいて補正する。
【００４５】
位置補正情報作成部１７４は、基準画像補正部１７３によって補正された基準画像の位置を示す位置補正情報を作成する。
【００４６】
アンテナ１９は、ネットワーク４に接続するためのアンテナである。移動網通信部１８は、ネットワーク４を介してサーバ３と通信する。なお、ネットワーク４は、例えば移動体通信網である。
【００４７】
スピーカ２０は、種々の音声を出力する。スピーカ２０は、端末機器２との近接無線通信が確立した場合に、所定の音（通信確立音）を出力する。
【００４８】
移動網通信部１８は、識別情報送信部１８１、基準画像情報受信部１８２及び位置補正情報送信部１８３を備える。識別情報送信部１８１は、識別情報記憶部１４１に記憶されている携帯機器識別情報を、ネットワーク４を介して接続されたサーバ３へ送信する。基準画像情報受信部１８２は、サーバ３から携帯機器識別情報に対応する基準画像情報を受信する。位置補正情報送信部１８３は、位置補正情報をサーバ３へ送信する。
【００４９】
図５は、本発明の実施の形態１におけるサーバの内部構成を示す図である。サーバ３は、公知のサーバコンピュータ等から構成され、ネットワーク４を介して携帯機器１と通信可能に接続されている。図５に示すサーバ３は、基準画像管理データベース３１、通信部３２及び平均化部３３を備える。
【００５０】
基準画像管理データベース３１は、携帯機器１の種類を識別するための携帯機器識別情報と、端末機器２と近接無線通信可能な位置に携帯機器１を案内するための基準画像と、補正された基準画像の位置を示す位置補正情報とを対応付けて記憶する。
【００５１】
図６は、基準画像管理データベースに記憶される基準画像情報の一例を示す図である。
【００５２】
図６に示すように、基準画像管理データベース３１は、携帯機器識別情報毎に、端末機器２と近接無線通信可能な位置に携帯機器１を案内するための基準画像と、補正された基準画像の位置を示す位置補正情報とを含む基準画像情報を端末機器２の製品番号に対応付けて記憶する。
【００５３】
例えば、「Ｐｘｘｘ」という携帯機器識別情報には、「指定なし」及び「ＮＡ−ＸＸＸ」という端末機器２の製品番号の基準画像情報が対応付けられている。「Ｓｘｘｘ」という携帯機器識別情報には、「ＮＲ−ＸＸＸ」という端末機器２の製品番号の基準画像情報が対応付けられている。また、基準画像情報は、端末機器２と近接無線通信可能な位置に携帯機器１を案内するための基準画像と、補正された基準画像の位置を示す位置補正情報とを含む。なお、図６に示す基準画像情報は、図４に示す基準画像情報と同じである。
【００５４】
図５に戻って、通信部３２は、ネットワーク４を介して携帯機器１と通信する。通信部３２は、識別情報受信部３２１、基準画像情報送信部３２２及び位置補正情報受信部３２３を備える。
【００５５】
識別情報受信部３２１は、携帯機器１から携帯機器識別情報を受信する。基準画像情報送信部３２２は、識別情報受信部３２１によって受信された携帯機器識別情報に基づいて基準画像管理データベース３１から基準画像情報を選択する。基準画像情報送信部３２２は、選択された基準画像情報を携帯機器１へ送信する。すなわち、基準画像情報送信部３２２は、受信された携帯機器識別情報と対応付けられて基準画像管理データベース３１に記憶されている、端末機器２と近接無線通信可能な位置に携帯機器１を案内するための基準画像を携帯機器１へ送信する。
【００５６】
なお、識別情報受信部３２１は、端末機器２を識別するための端末機器識別情報（製品番号情報）を携帯機器１から受信してもよい。基準画像情報送信部３２２は、受信された製品番号情報に基づいて、受信された携帯機器識別情報と対応付けられて記憶されている基準画像を携帯機器１へ送信してもよい。
【００５７】
位置補正情報受信部３２３は、位置補正情報を携帯機器１から受信する。位置補正情報受信部３２３は、受信された位置補正情報に、基準画像管理データベース３１に記憶されている位置補正情報を更新する。また、位置補正情報受信部３２３は、携帯機器識別情報に対応する複数の位置補正情報を受信する。すなわち、位置補正情報受信部３２３は、送信された基準画像を表示する表示位置を補正する位置補正情報（第１補正情報）を携帯機器１から受信する。また、位置補正情報受信部３２３は、受信された位置補正情報（第１補正情報）に基づいて、受信された携帯機器識別情報と対応付けられて基準画像管理データベース３１に記憶されている、補正された基準画像の位置を示す位置補正情報（第２補正情報）を更新する。なお、基準画像情報送信部３２２は、受信された携帯機器識別情報と対応付けられて記憶されている位置補正情報（第２補正情報）を携帯機器１へ送信する。
【００５８】
平均化部３３は、位置補正情報受信部３２３によって受信された携帯機器識別情報に対応する複数の位置補正情報を平均化する。平均化部３３は、同一の携帯機器識別情報及び同一の端末機器製品情報に対応する所定数の位置補正情報を記憶し、記憶している所定数の位置補正情報を平均化する。
【００５９】
なお、本実施の形態において、携帯機器１が通信装置の一例に相当し、端末機器２が外部装置の一例に相当し、サーバ３がサーバ装置の一例に相当する。ループアンテナ１１がアンテナ部の一例に相当し、表示部１２が表示部の一例に相当する。基準画像取得部１７１が基準画像取得部の一例に相当し、基準画像表示制御部１７２が基準画像表示制御部の一例に相当し、基準画像補正部１７３が基準画像補正部の一例に相当し、位置補正情報作成部１７４が位置補正情報作成部の一例に相当する。基準画像情報記憶部１４２が通信装置の基準画像記憶部の一例に相当し、位置補正情報送信部１８３が位置補正情報送信部の一例に相当する。基準画像管理データベース３１がサーバ装置の基準画像記憶部の一例に相当する。識別情報受信部３２１が通信装置識別情報受信部の一例に相当し、基準画像情報送信部３２２が基準画像送信部の一例に相当し、位置補正情報受信部３２３が位置補正情報受信部の一例に相当する。平均化部３３がサーバ装置の平均化部の一例に相当する。
【００６０】
次に、本発明の実施の形態１における通信システムの動作について説明する。図７〜図９は、本発明の実施の形態１における通信システムの動作について説明するためのフローチャートである。
【００６１】
まず、ステップＳ１において、携帯機器１のシステム制御部１３は、端末機器２と近接無線通信可能な位置に携帯機器１を案内するための基準画像を表示部１２に表示するためのアプリケーションを起動する。このとき、操作部１６は、ユーザによる当該アプリケーションの起動指示を受け付ける。システム制御部１３は、受け付けられた起動指示に基づいてアプリケーションを起動する。
【００６２】
次に、ステップＳ２において、表示制御部１７は、ユーザが保有している端末機器の保有機器リストの中から、１つの端末機器を選択するための端末機器選択画面を表示するよう表示部１２を制御する。なお、保有機器リストは、メモリ部１４に記憶されている。例えば、ユーザが、端末機器の種類及びシリアル番号等を入力することにより、メモリ部１４に記憶されている保有機器リストに登録される。表示部１２は、表示制御部１７によって制御されることにより、端末機器選択画面を表示する。
【００６３】
本実施の形態では、保有機器リストはメモリ部１４に記憶されているが、本発明は特にこれに限定されず、サーバに記憶してもよい。この場合、移動網通信部１８は、ユーザが保有している端末機器を表す保有機器リストを要求するための保有機器リスト要求をサーバへ送信する。保有機器リスト要求は、携帯機器１を識別するための携帯機器識別情報を含む。次に、サーバの通信部は、携帯機器１によって送信された保有機器リスト要求を受信する。次に、サーバの制御部は、保有機器リスト要求に含まれる携帯機器識別情報に対応する端末機器識別情報を保有機器管理データベースから抽出し、抽出した端末機器識別情報を保有機器リストとして作成する。保有機器管理データベースには、端末機器識別情報と携帯機器識別情報とが対応付けられて記憶されている。次に、サーバの通信部は、制御部によって作成された保有機器リストを携帯機器１へ送信する。次に、携帯機器１の移動網通信部１８は、サーバによって送信された保有機器リストを受信する。次に、表示制御部１７は、移動網通信部１８によって受信された保有機器リストの中から、１つの端末機器を選択するための端末機器選択画面を表示するよう表示部１２を制御する。
【００６４】
図１０は、表示部に表示される端末機器選択画面の一例を示す図である。端末機器選択画面には、端末機器の種類名及びシリアル番号が選択可能に表示される。図１０の端末機器選択画面では、選択可能な端末機器を表す４つの選択項目２２２が表示される。各選択項目２２２は、例えば、“テレビ  シリアル番号：ＡＡＡＡ”、“冷蔵庫  シリアル番号：ＢＢＢＢ”、“洗濯機  シリアル番号：ＣＣＣＣ”及び“炊飯器  シリアル番号：ＤＤＤＤ”である。なお、シリアル番号の代わりに、予めシリアル番号と対応付けてメモリ部１４に記憶された情報が表示されてもよい。
【００６５】
次に、ステップＳ３において、操作部１６は、端末機器選択画面に表示された端末機器の中から、近接無線通信を行う端末機器の選択を受け付ける。
【００６６】
ユーザは、表示部１２に表示される選択項目２２２の中から、近接無線通信を行う端末機器を選択する。操作部１６は、ユーザによる端末機器の選択操作を受け付ける。なお、表示部１２がタッチパネルであれば、表示画面がタッチされることにより、所望の選択項目が選択される。また、表示部１２がタッチパネルではない場合、携帯機器１に設けられた操作部材が操作されることにより、所望の選択項目が選択される。なお、ユーザが通信を所望する端末機器が、メモリ部１４に記憶されている保有機器リストに登録されていない場合、端末機器選択画面には当該端末機器が表示されない。この場合、操作部１６は、ユーザによる製品番号情報の入力を受け付けてもよい。また、ユーザによる選択がなくとも端末機器が特定される場合には、ステップＳ３は必要ない。
【００６７】
次に、ステップＳ４において、基準画像取得部１７１は、基準画像情報記憶部１４２にユーザによって選択された端末機器の基準画像情報を記憶しているか否かを判断する。ここで、基準画像情報を記憶していると判断された場合（ステップＳ４でＹＥＳ）、ステップＳ１０の処理へ移行する。
【００６８】
一方、基準画像情報を記憶していないと判断された場合（ステップＳ４でＮＯ）、ステップＳ５において、識別情報送信部１８１は、識別情報記憶部１４１に記憶されている携帯機器識別情報、及びユーザによって選択された端末機器の製品番号情報をサーバ３へ送信する。
【００６９】
次に、ステップＳ６において、サーバ３の識別情報受信部３２１は、携帯機器１によって送信された携帯機器識別情報及び製品番号情報を受信する。
【００７０】
次に、ステップＳ７において、サーバ３の基準画像情報送信部３２２は、識別情報受信部３２１によって受信された携帯機器識別情報及び製品番号情報に対応する基準画像情報を基準画像管理データベース３１から取得する。
【００７１】
次に、ステップＳ８において、サーバ３の基準画像情報送信部３２２は、基準画像管理データベース３１から取得した基準画像情報を携帯機器１へ送信する。
【００７２】
次に、ステップＳ９において、携帯機器１の基準画像情報受信部１８２は、サーバ３によって送信された基準画像情報を受信する。
【００７３】
次に、ステップＳ１０において、基準画像取得部１７１は、基準画像情報受信部１８２によって受信された基準画像情報を取得する。なお、ステップＳ４で基準画像情報を記憶していると判断された場合、基準画像取得部１７１は、ユーザによって選択された端末機器の基準画像情報を基準画像情報記憶部１４２から取得する。なお、基準画像情報記憶部１４２は、携帯機器１の製造時に基準画像情報を予め記憶してもよい。この場合、基準画像情報は、補正されていない基準画像を含む。
【００７４】
次に、ステップＳ１１において、基準画像表示制御部１７２は、基準画像取得部１７１によって取得された基準画像情報に含まれる基準画像が補正されているか否かを判断する。ここで、基準画像表示制御部１７２は、基準画像情報に含まれる位置補正情報に基づいて、基準画像が補正されているか否かを判断する。すなわち、基準画像表示制御部１７２は、位置補正情報の値が補正されていないことを表す値であれば、基準画像が補正されていないと判断し、位置補正情報の値が補正されていることを表す値であれば、基準画像が補正されていると判断する。
【００７５】
基準画像が補正されていないと判断された場合（ステップＳ１１でＮＯ）、ステップＳ１３の処理へ移行する。
【００７６】
一方、基準画像が補正されていると判断された場合（ステップＳ１１でＹＥＳ）、ステップＳ１２において、基準画像補正部１７３は、位置補正情報に応じて基準画像の位置を補正する。
【００７７】
次に、ステップＳ１３において、基準画像表示制御部１７２は、基準画像を表示部１２に表示する。このとき、基準画像が補正されていない場合は、基準画像表示制御部１７２は、補正されていない基準画像を表示部１２に表示する。基準画像が既に補正されている場合は、基準画像表示制御部１７２は、補正された基準画像を表示部１２に表示する。
【００７８】
次に、ステップＳ１４において、近接無線通信部１５は、ループアンテナ１１を介してポーリング信号を端末機器２へ送信する。
【００７９】
次に、ステップＳ１５において、端末機器２の近接無線通信部２０３は、ループアンテナ２０４を介してポーリング信号を携帯機器１から受信する。
【００８０】
次に、ステップＳ１６において、近接無線通信部２０３は、ループアンテナ２０４を介してポーリング応答を携帯機器１へ送信する。
【００８１】
次に、ステップＳ１７において、携帯機器１の近接無線通信部１５は、ループアンテナ１１を介してポーリング応答を端末機器２から受信する。
【００８２】
なお、携帯機器１の近接無線通信部１５は、ポーリング応答を端末機器２から受信するまで、ポーリング信号を所定の時間間隔（例えば、０．５秒間隔）で端末機器２へ送信する。ユーザは、端末機器２の表面に形成された目標マークと、表示部１２に表示された基準画像とを近づけるように携帯機器１を移動させる。ユーザは、ポーリング応答が受信されるまでの間、端末機器２の表面に形成された目標マークの近傍で、携帯機器１を移動させる動作を行う。
【００８３】
次に、ステップＳ１８において、近接無線通信部１５は、端末機器２からポーリング応答を受信すると、端末機器２との近接無線通信が確立したことを表す通信確立音を、スピーカ２０を介して出力する。ユーザは、端末機器２の表面に形成された目標マークの近傍で、携帯機器１を移動させる動作を行う。ユーザは、通信確立音が聞こえた時点で、携帯機器１を移動させる動作を止める。
【００８４】
なお、本実施の形態では、端末機器２からポーリング応答が受信されると、通信確立音が出力されるが、本発明は特にこれに限定されない。端末機器２からポーリング応答が受信されると、端末機器２との近接無線通信が確立したことを表す通信確立画面を表示部１２に表示してもよい。ユーザは、通信確立画面が表示部１２に表示されたことを確認した時点で、携帯機器１を移動させる動作を止める。
【００８５】
次に、ステップＳ１９において、操作部１６は、ユーザによる基準画像の補正操作を受け付ける。操作部１６は、端末機器２の表面に形成された目標マークと、表示部１２に表示される基準画像とを一致させる補正操作を受け付ける。表示部１２がタッチパネルであれば、表示される基準画像と端末機器２の表面に形成された目標マークとが一致する位置まで、基準画像が指でドラッグされることにより、基準画像が移動される。また、表示部１２がタッチパネルではない場合、携帯機器１に設けられた操作部材が操作されることにより、基準画像が移動される。なお、ユーザは、通信確立音が聞こえた時点で、表示されている基準画像が、端末機器２の表面に形成された目標マークと一致している場合、基準画像を移動しなくてもよい。
【００８６】
次に、ステップＳ２０において、基準画像補正部１７３は、ユーザにより基準画像を補正するための補正操作が行われたか否かを判断する。ここで、補正操作が行われていないと判断された場合（ステップＳ２０でＮＯ）、ステップＳ２４の処理へ移行する。
【００８７】
一方、補正操作が行われたと判断された場合（ステップＳ２０でＹＥＳ）、ステップＳ２１において、基準画像補正部１７３は、端末機器２の表面に形成された目標マークと、表示部１２に表示される基準画像とを一致させる画像移動操作に応じて、基準画像の位置を補正して表示する。
【００８８】
次に、ステップＳ２２において、位置補正情報作成部１７４は、基準画像補正部１７３によって補正された基準画像の位置を示す位置補正情報を作成する。なお、位置補正情報作成部１７４は、表示部１２を介してユーザに確認することにより位置補正情報を作成してもよいし、ドラッグした指が離されることにより位置補正情報を作成してもよい。
【００８９】
次に、ステップＳ２３において、位置補正情報送信部１８３は、位置補正情報をサーバ３へ送信する。このとき、位置補正情報送信部１８３は、携帯機器識別情報及び製品番号情報とともに、位置補正情報をサーバ３へ送信する。
【００９０】
次に、ステップＳ２４において、位置補正情報作成部１７４は、基準画像情報を基準画像情報記憶部１４２に記憶する。位置補正情報作成部１７４は、基準画像が補正された場合、位置補正情報作成部１７４によって作成された位置補正情報と基準画像とを含む基準画像情報を基準画像情報記憶部１４２に記憶する。また、位置補正情報作成部１７４は、基準画像が補正されなかった場合、ステップＳ１０において取得された基準画像情報を基準画像情報記憶部１４２に記憶する。
【００９１】
なお、本実施の形態では、位置補正情報作成部１７４によって作成された位置補正情報は、基準画像に対応付けて基準画像情報記憶部１４２に記憶されるとともに、携帯機器識別情報に対応付けてサーバ３へ送信されるが、本発明は特にこれに限定されない。位置補正情報作成部１７４によって作成された位置補正情報は、基準画像に対応付けて基準画像情報記憶部１４２に記憶されるが、携帯機器識別情報に対応付けてサーバ３へ送信されなくてもよい。また、位置補正情報作成部１７４によって作成された位置補正情報は、携帯機器識別情報に対応付けてサーバ３へ送信されるが、基準画像に対応付けて基準画像情報記憶部１４２に記憶されなくてもよい。
【００９２】
次に、ステップＳ２５において、位置補正情報受信部３２３は、携帯機器１の位置補正情報送信部１８３によって送信された位置補正情報を受信する。
【００９３】
次に、ステップＳ２６において、平均化部３３は、位置補正情報受信部３２３によって受信された携帯機器識別情報及び製品番号情報に対応する複数の位置補正情報を平均化する。
【００９４】
次に、ステップＳ２７において、平均化部３３は、平均化した位置補正情報を携帯機器識別情報及び製品番号情報に対応付けて基準画像管理データベース３１に記憶する。これにより、基準画像管理データベース３１に記憶されている位置補正情報が、平均化された位置補正情報に更新される。
【００９５】
なお、サーバ３は平均化部３３を備えていなくてもよい。この場合、位置補正情報受信部３２３は、位置補正情報を携帯機器１から受信し、受信した位置補正情報に、基準画像管理データベース３１に記憶されている位置補正情報を更新する。
【００９６】
次に、本発明の実施の形態１における通信システムの動作について具体的に説明する。図１１〜図１４は、本発明の実施の形態１における通信システムの動作について具体的に説明するための模式図である。
【００９７】
図１１は、図８のステップＳ１３において、基準画像が補正されていない場合の携帯機器の表示部に表示される基準画像を示す図である。図１２は、図８のステップＳ１８において、端末機器２との近接無線通信が確立した時点での携帯機器を示す図である。図１３は、図９のステップＳ１９において、ユーザによる基準画像の補正操作を説明するための図である。図１４は、図８のステップＳ１３において、基準画像が既に補正されている場合の携帯機器の表示部に表示される基準画像を示す図である。
【００９８】
図１１に示すように、携帯機器１の表示部１２には、基準画像１２１が表示される。基準画像１２１は、端末機器２（例えば、洗濯乾燥機）の表面に形成された、「洗い」、「すすぎ」及び「乾燥」等の操作ボタン及びロゴマークに連続的に繋がる画像となっている。つまり、端末機器２の表面に形成された目標マークの一部を表す画像が、基準画像１２１として表示される。また、図１１では、基準画像１２１の位置が補正されていないため、表示部１２の中央部分に基準画像１２１が表示されている。
【００９９】
続いて、図１２に示すように、ユーザは、端末機器２の表面２１１に形成された目標マーク２１２の近傍に、携帯機器１を接触させ、近接無線通信が可能な位置に携帯機器１を移動させる。端末機器２との近接無線通信が確立した時点において、表示部１２には、ユーザに基準画像の補正操作を促すためのメッセージ１２２が表示される。図１２では、例えば、「タッチが成功した場所で画像を合わせてください」というメッセージ１２２が表示されている。このメッセージにおいて、「タッチ」とは端末機器２のループアンテナ２０４と携帯機器１のループアンテナ１１とを近接させて近接無線通信を行うことを指す。
【０１００】
続いて、図１３に示すように、操作部１６は、端末機器２の表面２１１に形成された目標マーク２１２と、表示部１２に表示される基準画像１２１とを一致させる補正操作を受け付ける。表示部１２がタッチパネルであれば、表示される基準画像１２１が目的の位置まで指２１４でドラッグされることにより、基準画像１２１が移動される。図１３では、移動前の基準画像１２１が破線で表され、移動後の基準画像１２１が実線で表されている。
【０１０１】
上記のように基準画像の補正が行われることにより、補正された位置補正情報が基準画像情報記憶部１４２に記憶される。図１４に示すように、基準画像が既に補正されている場合は、ユーザに携帯機器１を端末機器２へ近接させることを促すためのメッセージ１２３を表示部１２に表示してもよい。図１４では、例えば、「画像と筐体が一致するようにタッチしてください」というメッセージ１２３が表示されている。このように、ユーザに携帯機器１を端末機器２へ近接させることを促すためのメッセージ１２３が表示されることにより、基準画像の補正が既に完了していることをユーザに認知させることができる。
【０１０２】
なお、本実施の形態１では、端末機器２の製品番号情報が携帯機器１に予め記憶されているため、端末機器２の製品番号情報が取得可能であるが、端末機器２の製品番号情報が取得できない場合がある。
【０１０３】
そこで、携帯機器１が端末機器２の製品番号情報を取得できない場合について説明する。
【０１０４】
図１５〜図１８は、本実施の形態１の第１の変形例において、携帯機器が端末機器の製品番号情報を取得できない場合における通信システムの動作について具体的に説明するための模式図である。
【０１０５】
図１５は、携帯機器が端末機器の製品番号情報を取得できない場合であり、かつ基準画像が補正されていない場合の携帯機器の表示部に表示される基準画像を示す図である。図１６は、携帯機器が端末機器の製品番号情報を取得できない場合であり、かつ端末機器２との近接無線通信が確立した時点での携帯機器を示す図である。図１７は、携帯機器が端末機器の製品番号情報を取得できない場合において、ユーザによる基準画像の補正操作を説明するための図である。図１８は、携帯機器が端末機器の製品番号情報を取得できない場合であり、かつ基準画像が既に補正されている場合の携帯機器の表示部に表示される基準画像を示す図である。
【０１０６】
ユーザが通信を所望する端末機器が、メモリ部１４に記憶されている保有機器リストに登録されていない場合、端末機器選択画面には当該端末機器が表示されない。そのため、ユーザは、所望する端末機器を選択しない。この場合、図７のステップＳ５において、識別情報送信部１８１は、携帯機器１の種類を識別するための携帯機器識別情報のみをサーバ３へ送信する。
【０１０７】
サーバ３の識別情報受信部３２１は、携帯機器１によって送信された携帯機器識別情報を受信する。次に、サーバ３の基準画像情報送信部３２２は、識別情報受信部３２１によって受信された携帯機器識別情報に対応する基準画像情報を基準画像管理データベース３１から取得する。ここで、基準画像情報送信部３２２は、製品番号情報が対応付けられていない基準画像情報を取得する。例えば、図６の「指定なし」に対応する基準画像情報が取得される。
【０１０８】
次に、サーバ３の基準画像情報送信部３２２は、基準画像管理データベース３１から取得した基準画像情報を携帯機器１へ送信する。次に、携帯機器１の基準画像情報受信部１８２は、サーバ３によって送信された基準画像情報を受信する。次に、基準画像取得部１７１は、基準画像情報受信部１８２によって受信された基準画像情報を取得する。
【０１０９】
次に、基準画像表示制御部１７２は、基準画像を表示部１２に表示する。図１５に示すように、携帯機器１の表示部１２には、基準画像１２４が表示される。基準画像１２４は、端末機器２（例えば、洗濯乾燥機）の表面に形成された十字形状の目標マークと同じ画像となっている。つまり、端末機器２の表面に形成された目標マークを表す画像が、基準画像１２４として表示される。また、図１５では、基準画像１２４の位置が補正されていないため、表示部１２の中央部分に基準画像１２４が表示されている。
【０１１０】
なお、本実施の形態では、基準画像１２４は、端末機器２の表面に形成された目標マークと同じ画像としているが、本発明は特にこれに限定されない。位置合わせが可能な図形であれば、基準画像１２４は、端末機器２の表面に形成された目標マークと同じ画像でなくてもよい。
【０１１１】
続いて、図１６に示すように、ユーザは、端末機器２の表面２１１に形成された目標マーク２１３の近傍に、携帯機器１を接触させ、近接無線通信が可能な位置に携帯機器１を移動させる。端末機器２との近接無線通信が確立した時点において、表示部１２には、ユーザに基準画像の補正操作を促すためのメッセージ１２５が表示される。図１６では、例えば、「タッチが成功した場所で画像を家電のタッチマークに合わせてください」というメッセージ１２５が表示されている。
【０１１２】
続いて、図１７に示すように、操作部１６は、端末機器２の表面２１１に形成された目標マーク２１３と、表示部１２に表示される基準画像１２４とを一致させる補正操作を受け付ける。表示部１２がタッチパネルであれば、表示される基準画像１２４と端末機器２の表面に形成された目標マークとが一致する位置まで、基準画像１２４が指２１４でドラッグされることにより、基準画像１２４が移動される。図１７では、移動前の基準画像１２４が破線で表され、移動後の基準画像１２４が実線で表されている。
【０１１３】
上記のように基準画像の補正が行われることにより、補正された位置補正情報が基準画像情報記憶部１４２に記憶される。図１８に示すように、基準画像が既に補正されている場合は、ユーザに携帯機器１を端末機器２へ近接させることを促すためのメッセージ１２６を表示部１２に表示してもよい。図１８では、例えば、「表示されたマークを家電のマークに合わせてください」というメッセージ１２６が表示されている。このように、ユーザに携帯機器１を端末機器２へ近接させることを促すためのメッセージ１２６が表示されることにより、基準画像の補正が既に完了していることをユーザに認知させることができる。
【０１１４】
以上のように、携帯機器１が端末機器２の製品番号情報を取得できない場合であっても、基準画像をサーバから取得し、取得した基準画像の位置を補正することができる。
【０１１５】
また、本実施の形態１では、端末機器２の製品番号情報が携帯機器１に予め記憶されているが、端末機器２から製品番号情報を取得してもよい。
【０１１６】
そこで、携帯機器１が端末機器２から製品番号情報を取得する場合について説明する。
【０１１７】
図１９〜図２１は、本発明の実施の形態１の第２の変形例において、携帯機器が端末機器から製品番号情報を取得する場合における通信システムの動作について説明するためのフローチャートである。
【０１１８】
なお、本発明の実施の形態１の第２の変形例における通信システムの構成は、図１、図３及び図５と同じである。そのため、以下の説明では、図１、図３及び図５に示す通信システムを参照する。
【０１１９】
まず、ステップＳ３１の処理は、図７のステップＳ１の処理と同じであるので説明を省略する。
【０１２０】
次に、ステップＳ３２において、基準画像取得部１７１は、基準画像情報記憶部１４２に端末機器の基準画像情報を記憶しているか否かを判断する。なお、端末機器の基準画像情報を記憶しているか否かの判断は、基準画像情報を取得するか否かをユーザに確認することにより行われる。すなわち、例えば、基準画像取得部１７１は、基準画像情報を取得するか否かをユーザに確認する画面を表示部１２に表示し、操作部１６は、基準画像情報を取得するか否かのユーザによる選択を受け付ける。基準画像取得部１７１は、基準画像情報を取得する場合、端末機器の基準画像情報を記憶していないと判断し、基準画像情報を取得しない場合、端末機器の基準画像情報を記憶していると判断する。ここで、基準画像情報を記憶していると判断された場合（ステップＳ３２でＹＥＳ）、ステップＳ４３の処理へ移行する。
【０１２１】
一方、基準画像情報を記憶していないと判断された場合（ステップＳ３２でＮＯ）、ステップＳ３３において、近接無線通信部１５は、ループアンテナ１１を介してポーリング信号を端末機器２へ送信する。
【０１２２】
次に、ステップＳ３４において、端末機器２の近接無線通信部２０３は、ループアンテナ２０４を介してポーリング信号を携帯機器１から受信する。
【０１２３】
次に、ステップＳ３５において、近接無線通信部２０３は、ループアンテナ２０４を介してポーリング応答を携帯機器１へ送信する。ここで、ポーリング応答は、端末機器２の製品番号情報を含む。
【０１２４】
次に、ステップＳ３６において、携帯機器１の近接無線通信部１５は、ループアンテナ１１を介してポーリング応答を端末機器２から受信する。
【０１２５】
なお、携帯機器１の近接無線通信部１５は、ポーリング応答を端末機器２から受信するまで、ポーリング信号を所定の時間間隔（例えば、０．５秒間隔）で端末機器２へ送信する。ユーザは、ポーリング応答が受信されるまでの間、端末機器２の表面に形成された目標マークの近傍で、携帯機器１を移動させる動作を行う。
【０１２６】
次に、ステップＳ３７において、近接無線通信部１５は、端末機器２からポーリング応答を受信すると、端末機器２との近接無線通信が確立したことを表す通信確立音を、スピーカ２０を介して出力する。ユーザは、端末機器２の表面に形成された目標マークの近傍で、携帯機器１を移動させる動作を行い、通信確立音が聞こえた時点で、携帯機器１を移動させる動作を止める。
【０１２７】
なお、本実施の形態では、端末機器２からポーリング応答が受信されると、通信確立音が出力されるが、本発明は特にこれに限定されない。端末機器２からポーリング応答が受信されると、端末機器２との近接無線通信が確立したことを表す通信確立画面を表示部１２に表示してもよい。ユーザは、通信確立画面が表示部１２に表示されたことを確認した時点で、携帯機器１を移動させる動作を止める。
【０１２８】
次に、ステップＳ３８において、識別情報送信部１８１は、識別情報記憶部１４１に記憶されている携帯機器識別情報、及びポーリング応答に含まれる端末機器の製品番号情報をサーバ３へ送信する。
【０１２９】
ステップＳ３９〜Ｓ４６の処理は、図７及び図８のステップＳ６〜Ｓ１３の処理と同じであるので説明を省略する。また、ステップＳ４７〜Ｓ５５の処理は、図８及び図９のステップＳ１９〜Ｓ２７の処理と同じであるので説明を省略する。
【０１３０】
以上の処理により、端末機器２との近接無線通信が確立した時点で、携帯機器１の表示部１２に基準画像が表示され、基準画像の補正操作が受け付けられる。
【０１３１】
次に、本発明の実施の形態１の第２の変形例における通信システムの動作について具体的に説明する。図２２〜図２５は、本発明の実施の形態１の第２の変形例における通信システムの動作について具体的に説明するための模式図である。
【０１３２】
図２２は、図１９のステップＳ３３において、近接無線通信部１５がポーリング信号の送信を開始した後、表示部１２に表示されるメッセージを示す図である。図２３は、図２０のステップＳ４６において、基準画像を表示した時点での携帯機器を示す図である。図２４は、図２０のステップＳ４７において、ユーザによる基準画像の補正操作を説明するための図である。図２５は、図２０のステップＳ４７において、基準画像が既に補正されている場合の携帯機器の表示部に表示される基準画像を示す図である。
【０１３３】
図２２に示すように、近接無線通信部１５がポーリング信号の送信を開始した後、表示部１２には、ユーザに携帯機器１を端末機器２に接触させることを指示するためのメッセージ１２７が表示される。図２２では、例えば、「タッチしてください」というメッセージ１２７が表示されている。
【０１３４】
続いて、図２３に示すように、ユーザは、端末機器２の表面２１１に形成された目標マーク２１２の近傍に、携帯機器１を接触させ、近接無線通信が可能な位置に携帯機器１を移動させる。端末機器２との近接無線通信が確立した時点において、表示部１２には、基準画像１２８と、ユーザに基準画像の補正操作を促すためのメッセージ１２９とが表示される。
【０１３５】
基準画像１２８は、端末機器２（例えば、洗濯乾燥機）の表面に形成された、「洗い」、「すすぎ」及び「乾燥」等の操作ボタン及びロゴマークに連続的に繋がる画像となっている。つまり、端末機器２の表面に形成された目標マークの一部を表す画像が、基準画像１２８として表示される。また、図２３では、基準画像１２８の位置が補正されていないため、表示部１２の中央部分に基準画像１２８が表示されている。また、図２３では、例えば、「タッチが成功した場所で画像を合わせてください」というメッセージ１２９が表示されている。
【０１３６】
続いて、図２４に示すように、操作部１６は、端末機器２の表面２１１に形成された目標マーク２１２と、表示部１２に表示される基準画像１２８とを一致させる補正操作を受け付ける。表示部１２がタッチパネルであれば、表示される基準画像１２８が目的の位置まで指２１４でドラッグされることにより、基準画像１２８が移動される。図２４では、移動前の基準画像１２８が破線で表され、移動後の基準画像１２８が実線で表されている。
【０１３７】
上記のように基準画像の補正が行われることにより、補正された位置補正情報が基準画像情報記憶部１４２に記憶される。図２５に示すように、基準画像が既に補正されている場合は、ユーザに携帯機器１を端末機器２へ近接させることを促すためのメッセージ１２９を表示部１２に表示してもよい。図２５では、例えば、「画像と筐体が一致するようにタッチしてください」というメッセージ１２９が表示されている。このように、ユーザに携帯機器１を端末機器２へ近接させることを促すためのメッセージ１２９が表示されることにより、基準画像の補正が既に完了していることをユーザに認知させることができる。
【０１３８】
（実施の形態２）
次に、本発明の実施の形態２における通信システムについて説明する。上述の実施の形態１では、サーバ３が平均化部３３を備えているが、実施の形態２では、携帯機器１が平均化部を備える。
【０１３９】
図２６は、本発明の実施の形態２における携帯機器の内部構成を示す図である。なお、本発明の実施の形態２における通信システムの構成は、実施の形態１における通信システムの構成と同じであるので説明を省略する。
【０１４０】
図２６に示す携帯機器１は、ループアンテナ１１、表示部１２、システム制御部１３、メモリ部１４、近接無線通信部１５、操作部１６、表示制御部１７、移動網通信部１８、アンテナ１９及びスピーカ２０を備える。なお、実施の形態２の携帯機器において、実施の形態１の携帯機器と同じ構成については同じ符号を付し、説明を省略する。
【０１４１】
表示制御部１７は、表示部１２を制御する。表示制御部１７は、基準画像取得部１７１、基準画像表示制御部１７２、基準画像補正部１７３、位置補正情報作成部１７４及び平均化部１７５を備える。
【０１４２】
平均化部１７５は、位置補正情報作成部１７４によって作成された複数の位置補正情報を平均化する。平均化部１７５は、同一の端末機器製品情報に対応する所定数の位置補正情報を記憶し、記憶している所定数の位置補正情報を平均化する。
【０１４３】
なお、本実施の形態において、平均化部１７５が通信装置の平均化部の一例に相当する。
【０１４４】
実施の形態２における通信システムの動作は、図７〜図９に示す実施の形態１における通信システムの動作とほぼ同じであるので、実施の形態１と異なる動作のみを説明する。
【０１４５】
図９のステップＳ２２において位置補正情報が作成された後、平均化部１７５は、作成された位置補正情報と、既に記憶している同一の端末機器製品情報に対応する位置補正情報とを平均化する。
【０１４６】
そして、図９のステップＳ２３において、位置補正情報送信部１８３は、平均化部１７５によって平均化された位置補正情報をサーバ３へ送信する。
【０１４７】
このように、位置補正情報が平均化されるので、ユーザによる補正操作の誤差を修正することができる。
【０１４８】
なお、本実施の形態において、サーバ３は、平均化部３３を備えていなくてもよい。また、サーバ３は、平均化部３３を備えていてもよい。
【０１４９】
（実施の形態３）
次に、本発明の実施の形態３における通信システムについて説明する。実施の形態３では、撮像されたループアンテナの指向方向の画像に、端末機器に設けられた近接無線通信のための電波を送受信するアンテナ部の位置を示すマーカ画像を、撮像画像内の端末機器に重畳して表示する。
【０１５０】
図２７は、本発明の実施の形態３における携帯機器の内部構成を示す図である。なお、本発明の実施の形態３における通信システムの構成は、実施の形態１における通信システムの構成と同じであるので説明を省略する。
【０１５１】
図２７に示す携帯機器１は、ループアンテナ１１、表示部１２、システム制御部１３、メモリ部１４、近接無線通信部１５、操作部１６、表示制御部１７、移動網通信部１８、アンテナ１９、スピーカ２０及び撮像部２１を備える。なお、実施の形態３の携帯機器において、実施の形態１の携帯機器と同じ構成については同じ符号を付し、説明を省略する。
【０１５２】
撮像部２１は、例えばＣＣＤ（Ｃｈａｒｇｅ  Ｃｏｕｐｌｅｄ  Ｄｅｖｉｃｅ）カメラで構成され、ループアンテナ１１の指向方向の画像を取得する。撮像部２１は、端末機器２を撮像する。
【０１５３】
表示制御部１７は、表示部１２を制御する。表示制御部１７は、基準画像取得部１７１、基準画像表示制御部１７２、基準画像補正部１７３、位置補正情報作成部１７４及び画像合成部１７６を備える。
【０１５４】
画像合成部１７６は、撮像部２１によって撮像された撮像画像内における端末機器２を判別する。画像合成部１７６は、端末機器２に設けられた近接無線通信のための電波を送受信するアンテナ部の位置を示すマーカ画像を、撮像画像内の判別された端末機器２の画像に重畳する。
【０１５５】
図２８は、本発明の実施の形態３における携帯機器の外観構成を示す図である。図２８（Ａ）は、本発明の実施の形態３における携帯機器の裏面を示す図である。図２８（Ｂ）は、本発明の実施の形態３における携帯機器の表面を示す図である。図２８（Ｃ）は、本発明の実施の形態３における携帯機器の側面を示す図である。
【０１５６】
図２８（Ａ）〜図２８（Ｃ）に示すように、携帯機器１の表面には、表示部１２が設けられている。携帯機器１にはループアンテナ１１が内蔵されている。
【０１５７】
携帯機器１の裏面には、撮像部２１が配置されている。なお、本実施の形態３では、撮像部２１は、携帯機器１の裏面の左上端部に配置されているが、本発明は特にこれに限定されない。ループアンテナ１１の指向方向は、表面から裏面に向かう方向であり、表示部とは反対の方向を向いている。ループアンテナ１１の指向方向と、撮像部２１の撮像方向とは、一致している。
【０１５８】
表示部１２は、撮像部２１によって取得された画像に、端末機器２に設けられた近接無線通信のための電波を送受信するアンテナ部の位置を示すマーカ画像を重畳して表示する。また、表示部１２は、携帯機器１と端末機器２とが接近した場合、撮像部２１によって取得された画像に替えて、端末機器２と近接無線通信可能な位置に携帯機器１を案内するための基準画像を表示する。
【０１５９】
次に、本発明の実施の形態３における通信システムの動作について具体的に説明する。図２９〜図３１は、本発明の実施の形態３における通信システムの動作について具体的に説明するための模式図である。
【０１６０】
図２９は、端末機器と、端末機器を撮像した際に携帯機器の表示部に表示される画像の一例を示す図である。図３０は、端末機器との近接無線通信が確立した時点での携帯機器を示す図である。図３１は、ユーザによる基準画像の補正操作を説明するための図である。
【０１６１】
画像合成部１７６は、既存の画像認識技術を用いて、撮像部２１によって撮像された画像から端末機器２を判別する。例えば、メモリ部１４は、端末機器２の全体又は一部を表す画像を記憶している。画像合成部１７６は、メモリ部１４に記憶されている端末機器２の全体又は一部を表す画像を用いて、撮像部２１によって撮像された画像から端末機器２を判別する。
【０１６２】
また、画像合成部１７６は、既存の拡張現実（Ａｕｇｍｅｎｔｅｄ  Ｒｅａｌｉｔｙ）表示技術を用いて、端末機器２に設けられた近接無線通信のための電波を送受信するアンテナ部の位置を示すマーカ画像を、撮像画像内の判別された端末機器２の画像に重畳する。例えば、メモリ部１４は、端末機器２に設けられた近接無線通信のための電波を送受信するアンテナ部の位置を示すアンテナ位置情報と、当該アンテナ部の位置を示すためのマーカ画像とを記憶している。画像合成部１７６は、アンテナ位置情報に基づいて撮像画像内の判別された端末機器２の画像におけるアンテナ部の位置を特定し、特定したアンテナ部の位置にマーカ画像を重畳する。
【０１６３】
これにより、図２９に示すように、表示部１２には、端末機器２の画像に、端末機器２の画像のアンテナ部の位置にマーカ画像１３０を重畳した画像が表示される。
【０１６４】
画像合成部１７６は、表示部１２に表示される端末機器２の撮像画像の所定の位置、すなわち、端末機器２のアンテナ部の位置にマーカ画像１３０を常に重畳して表示する。したがって、携帯機器１が端末機器２に近づけられても、表示部１２には、端末機器２と、端末機器２のアンテナ部の位置を示すマーカ画像１３０とが表示される。
【０１６５】
そして、基準画像表示制御部１７２は、携帯機器１と端末機器２との間の距離が所定の距離になった場合、表示部１２に表示される撮像画像を基準画像に切り換える。なお、携帯機器１と端末機器２との間の距離が所定の距離になったか否かの判断は、例えば、撮像画像中の端末機器２の大きさにより判断される。携帯機器１が端末機器２に近づき、撮像画像中の端末機器２が所定の大きさになった場合、携帯機器１と端末機器２との間の距離が所定の距離になったと判断される。または、携帯機器１が端末機器２に接触し、撮像画像が取得できなくなった場合（画面が黒くなった場合）に、携帯機器１と端末機器２との間の距離が所定の距離になったと判断される。
【０１６６】
続いて、図３０に示すように、ユーザは、端末機器２の表面２１１に形成された目標マーク２１２の近傍に、携帯機器１を接触させ、近接無線通信が可能な位置に携帯機器１を移動させる。端末機器２との近接無線通信が確立した時点において、表示部１２には、ユーザに基準画像の補正操作を促すためのメッセージが表示される。
【０１６７】
続いて、図３１に示すように、操作部１６は、端末機器２の表面２１１に形成された目標マーク２１２と、表示部１２に表示される基準画像１３１とを一致させる補正操作を受け付ける。表示部１２がタッチパネルであれば、表示される基準画像１３１が目的の位置まで指でドラッグされることにより、基準画像１３１が移動される。
【０１６８】
上記のように基準画像の補正が行われることにより、補正された位置補正情報が基準画像情報記憶部１４２に記憶される。
【０１６９】
このように、表示部１２に端末機器２のアンテナ部の位置が表示されるので、端末機器２の表面にアンテナ部の位置を示すマークを設ける必要がなくなる。これにより、端末機器２のデザイン性を損なうことなく、端末機器２のアンテナ部の位置をユーザに報知することができる。
【０１７０】
なお、本実施の形態３において、携帯機器１の表示制御部１７は、実施の形態２の平均化部１７５を備えてもよい。
【０１７１】
また、本実施の形態３では、撮像部２１によって撮像された端末機器２の画像を表示しているが、本発明は特にこれに限定されない。携帯機器１は、端末機器２におけるアンテナ部の位置を特定可能な端末機器画像を予め記憶し、基準画像を表示する前に当該端末機器画像を表示してもよい。端末機器画像は、例えば、端末機器２の外観を撮影した画像、又は端末機器２の外観を表すＣＧ（Ｃｏｍｐｕｔｅｒ  Ｇｒａｐｈｉｃｓ）画像であってもよい。携帯機器１は、撮像部２１によって撮像された端末機器２の画像から、端末機器２を画像認識により判別し、判別された端末機器２に対応する端末機器画像をメモリ部１４又はサーバ３から取得する。
【０１７２】
なお、本実施の形態１〜３において、基準画像情報は、基準画像及び位置補正情報としているが、補正された画像であってもよい。
【０１７３】
なお、携帯機器が補正された基準画像情報を記憶している場合でも、補正されていない基準画像を表示部に表示し、画像を補正してもよい。例えば、ユーザによる画像補正情報を複数取得するために、ゲームを用いてユーザに画像補正を行わせるアプリケーションを提供してもよい。
【０１７４】
（実施の形態４）
次に、本発明の実施の形態４における通信システムについて説明する。実施の形態４では、サーバ装置から携帯機器へアプリケーションプログラムを送信する。
【０１７５】
図３２は、本発明の実施の形態４における通信システムの構成を示す図である。図３２に示す通信システムは、携帯機器１、端末機器２、サーバ３及びダウンロードサーバ５を備える。なお、本発明の実施の形態４における携帯機器１、端末機器２及びサーバ３の構成は、実施の形態１〜３における携帯機器１、端末機器２及びサーバ３の構成と同じであるので詳細な説明を省略する。
【０１７６】
携帯機器１は、ネットワーク４を介してサーバ３及びダウンロードサーバ５と通信可能に接続されている。
【０１７７】
ダウンロードサーバ５は、公知のサーバコンピュータ等から構成され、ネットワーク４を介して携帯機器１と通信可能に接続されている。ダウンロードサーバ５は、近接無線通信を利用して外部装置と通信する携帯機器１へ、ネットワーク４を介してアプリケーションプログラムを送信する。
【０１７８】
図３３は、本発明の実施の形態４におけるダウンロードサーバの構成を示す図である。ダウンロードサーバ５は、アプリケーションプログラム記憶部５１及びアプリケーションプログラム送信部５２を備える。
【０１７９】
アプリケーションプログラム記憶部５１は、携帯機器１で実行されるアプリケーションプログラムを記憶する。アプリケーションプログラム送信部５２は、アプリケーションプログラム記憶部５１に記憶されたアプリケーションプログラムを携帯機器１へ送信する。より具体的には、アプリケーションプログラム送信部５２は、アプリケーションプログラムの送信要求を携帯機器１から受け付け、受け付けた送信要求に対応するアプリケーションプログラムをアプリケーションプログラム記憶部５１から読み出し、読み出したアプリケーションプログラムを携帯機器１へ送信する。
【０１８０】
アプリケーションプログラムは、携帯機器１を、携帯機器１の種類を識別するための携帯機器識別情報に基づき、端末機器２と近接無線通信可能な位置に携帯機器１を案内するための基準画像を含む画像情報を取得し、携帯機器１を端末機器２に近接させる際の端末機器２に対向する面とは反対の面に設けられた、携帯機器１が備える表示部１２に、取得された画像情報に基づいて基準画像を表示し、端末機器２の表面に形成された目標マークの位置と、表示部１２に表示される基準画像の位置とを一致させる画像移動操作に応じて、基準画像の表示位置を補正する携帯機器１として機能させるプログラムである。
【０１８１】
携帯機器１は、ダウンロードサーバ５によって送信されたアプリケーションプログラムを受信し、受信したアプリケーションプログラムをメモリ部１４に記憶する。携帯機器１のシステム制御部１３は、メモリ部１４に記憶されたアプリケーションプログラムを実行する。
【０１８２】
また、アプリケーションプログラムは、携帯機器１を、さらに、補正された基準画像の表示位置を示す第１補正情報を作成し、作成された第１補正情報を、基準画像に対応付けて記憶する携帯機器１として機能させるプログラムである。
【０１８３】
また、アプリケーションプログラムは、携帯機器１を、さらに、補正された基準画像の表示位置を示す第１補正情報を作成し、作成された第１補正情報を送信する携帯機器１として機能させるプログラムである。
【０１８４】
また、アプリケーションプログラムは、携帯機器１を、さらに、基準画像を、画像情報に含まれる、基準画像の表示位置を示す第２補正情報に示される表示位置に表示する携帯機器１として機能させるプログラムである。
【０１８５】
また、アプリケーションプログラムは、携帯機器１を、さらに、携帯機器識別情報と、端末機器２を識別するための端末機器識別情報とに基づいて定まる基準画像を含む画像情報を取得する携帯機器１として機能させるプログラムである。
【０１８６】
また、アプリケーションプログラムは、携帯機器１を、さらに、複数の第１補正情報を作成し、作成された複数の第１補正情報を平均化する携帯機器１として機能させるプログラムである。
【０１８７】
また、アプリケーションプログラムは、携帯機器１を、さらに、携帯機器１が備える撮像部２１を用いて端末機器２を撮像し、撮像された撮像画像内における端末機器２を判別し、端末機器２に設けられた近接無線通信のための電波を送受信するアンテナ部の位置を示すマーカ画像を、撮像画像内の判別された端末機器２の画像に重畳する携帯機器１として機能させるプログラムである。
【０１８８】
なお、本実施の形態４では、サーバ３とダウンロードサーバ５とが個別に設けられているが、本発明は特にこれに限定されず、サーバ３がダウンロードサーバ５の機能を備えてもよく、サーバ３がアプリケーションプログラムを携帯機器１に送信してもよい。
【０１８９】
なお、ダウンロードサーバ５は、複数のサーバコンピュータ等から構成されていてもよい。例えば、アプリケーションプログラムが複数のプログラムから構成されており、複数のプログラムのうち一部のプログラムを送信するサーバと、その他のプログラムを送信するサーバとが異なってもよい。
【０１９０】
なお、上述した具体的実施形態には以下の構成を有する発明が主に含まれている。
【０１９１】
本発明の一局面に係るに係る通信装置は、近接無線通信を利用して外部装置と通信する通信装置であって、前記近接無線通信のための電波を送受信するアンテナ部と、前記通信装置を前記外部装置に近接させる際の前記外部装置に対向する面とは反対の面に設けられた表示部と、前記通信装置の種類を識別するための通信装置識別情報に基づき、前記外部装置と前記近接無線通信可能な位置に前記通信装置を案内するための基準画像を取得する基準画像取得部と、前記基準画像取得部によって取得された前記基準画像を前記表示部に表示する基準画像表示制御部と、前記外部装置の表面に形成された目標マークと、前記表示部に表示される前記基準画像とを一致させる画像移動操作に応じて、前記基準画像の位置を補正する基準画像補正部とを備える。
【０１９２】
この構成によれば、アンテナ部は、近接無線通信のための電波を送受信する。表示部は、通信装置を外部装置に近接させる際の外部装置に対向する面とは反対の面に設けられる。基準画像取得部は、通信装置の種類を識別するための通信装置識別情報に基づき、外部装置と近接無線通信可能な位置に通信装置を案内するための基準画像を取得する。基準画像表示制御部は、基準画像取得部によって取得された基準画像を表示部に表示する。基準画像補正部は、外部装置の表面に形成された目標マークと、表示部に表示される基準画像とを一致させる画像移動操作に応じて、基準画像の位置を補正する。
【０１９３】
したがって、外部装置と近接無線通信可能な位置に通信装置を案内するための基準画像が表示され、外部装置の表面に形成された目標マークと、表示部に表示される基準画像とを一致させる画像移動操作に応じて、基準画像の位置が補正される。これにより、補正された基準画像を用いて通信装置のアンテナと外部機器のアンテナとの位置合わせを正確に行うことができる。
【０１９４】
また、上記の通信装置において、前記基準画像補正部によって補正された前記基準画像の位置を示す位置補正情報を作成する位置補正情報作成部と、前記位置補正情報作成部によって作成された位置補正情報を、前記基準画像に対応付けて記憶する基準画像記憶部をさらに備えることが好ましい。
【０１９５】
この構成によれば、位置補正情報作成部は、基準画像補正部によって補正された基準画像の位置を示す位置補正情報を作成する。基準画像記憶部は、位置補正情報作成部によって作成された位置補正情報を、基準画像に対応付けて記憶する。
【０１９６】
したがって、補正された基準画像の位置を示す位置補正情報が、基準画像に対応付けて記憶されるので、記憶された位置補正情報に基づいて基準画像を補正して表示することができる。また、記憶された位置補正情報に基づいて基準画像が補正して表示されるので、基準画像を補正するための処理時間を短縮することができる。
【０１９７】
また、上記の通信装置において、前記基準画像補正部によって補正された前記基準画像の位置を示す位置補正情報を作成する位置補正情報作成部と、前記位置補正情報作成部によって作成された前記位置補正情報を、前記通信装置識別情報に対応付けて送信する位置補正情報送信部とをさらに備えることが好ましい。
【０１９８】
この構成によれば、位置補正情報作成部は、基準画像補正部によって補正された基準画像の位置を示す位置補正情報を作成する。位置補正情報送信部は、位置補正情報作成部によって作成された位置補正情報を、通信装置識別情報に対応付けて送信する。
【０１９９】
したがって、補正された基準画像の位置を示す位置補正情報が、通信装置識別情報に対応付けて送信されるので、位置補正情報がサーバ装置に送信されることにより、サーバ装置から他の通信装置に対して位置補正情報を送信することができる。これにより、他の通信装置においても適切な位置に補正された基準画像を表示することができる。
【０２００】
また、上記の通信装置において、前記基準画像取得部は、前記基準画像とともに、補正された基準画像の位置を示す位置補正情報をさらに取得し、前記基準画像補正部は、前記基準画像取得部によって取得された前記基準画像を、前記基準画像取得部によって取得された前記位置補正情報に基づいて補正することが好ましい。
【０２０１】
この構成によれば、基準画像取得部は、基準画像とともに、補正された基準画像の位置を示す位置補正情報をさらに取得する。基準画像補正部は、基準画像取得部によって取得された基準画像を、基準画像取得部によって取得された位置補正情報に基づいて補正する。
【０２０２】
したがって、取得された基準画像が、取得された位置補正情報に基づいて補正されるので、基準画像を補正するための処理時間を短縮することができる。また、他の通信装置によって作成された位置補正情報を取得することにより、他の通信装置によって作成された位置補正情報を利用して基準画像を補正して表示することができる。
【０２０３】
また、上記の通信装置において、前記基準画像取得部は、前記通信装置識別情報と、前記外部装置を識別するための外部装置識別情報とに基づき、前記基準画像を取得することが好ましい。
【０２０４】
この構成によれば、通信装置識別情報と、外部装置を識別するための外部装置識別情報とに基づき、基準画像が取得されるので、外部装置の種類に応じた基準画像を表示することができる。
【０２０５】
また、上記の通信装置において、前記位置補正情報作成部は、複数の前記位置補正情報を作成し、前記位置補正情報作成部によって作成された複数の位置補正情報を平均化する平均化部をさらに備えることが好ましい。
【０２０６】
この構成によれば、位置補正情報作成部は、複数の位置補正情報を作成する。平均化部は、位置補正情報作成部によって作成された複数の位置補正情報を平均化する。
【０２０７】
したがって、作成された複数の位置補正情報が平均化されるので、位置補正情報の精度をより高めることができる。
【０２０８】
また、上記の通信装置において、前記外部装置を撮像する撮像部と、前記撮像部によって撮像された撮像画像内における前記外部装置を判別し、前記外部装置に設けられた前記近接無線通信のための電波を送受信するアンテナ部の位置を示すマーカ画像を、前記撮像画像内の判別された前記外部装置の画像に重畳する画像合成部とをさらに備えることが好ましい。
【０２０９】
この構成によれば、撮像部は、外部装置を撮像する。画像合成部は、撮像部によって撮像された撮像画像内における外部装置を判別し、外部装置に設けられた近接無線通信のための電波を送受信するアンテナ部の位置を示すマーカ画像を、撮像画像内の判別された外部装置の画像に重畳する。
【０２１０】
したがって、外部装置に設けられた近接無線通信のための電波を送受信するアンテナ部の位置を示すマーカ画像が、撮像画像内の判別された外部装置の画像に重畳して表示される。これにより、外部装置の表面にアンテナ部の位置を示すマークを設ける必要がなくなり、外部装置のデザイン性を損なうことなく、外部装置のアンテナ部の位置をユーザに報知することができる。
【０２１１】
本発明の他の局面に係る通信方法は、近接無線通信を利用して外部装置と通信するための通信方法であって、通信装置の種類を識別するための通信装置識別情報に基づき、前記外部装置と前記近接無線通信可能な位置に前記通信装置を案内するための基準画像を取得する基準画像取得ステップと、前記基準画像取得ステップにおいて取得された前記基準画像を、前記通信装置を前記外部装置に近接させる際の前記外部装置に対向する面とは反対の面に設けられた表示部に表示する基準画像表示制御ステップと、前記外部装置の表面に形成された目標マークと、前記表示部に表示される前記基準画像とを一致させる画像移動操作に応じて、前記基準画像の位置を補正する基準画像補正ステップとを含む。
【０２１２】
この構成によれば、基準画像取得ステップにおいて、通信装置の種類を識別するための通信装置識別情報に基づき、外部装置と近接無線通信可能な位置に通信装置を案内するための基準画像が取得される。次に、基準画像表示制御ステップにおいて、取得された基準画像が、通信装置を外部装置に近接させる際の外部装置に対向する面とは反対の面に設けられた表示部に表示される。次に、基準画像補正ステップにおいて、外部装置の表面に形成された目標マークと、表示部に表示される基準画像とを一致させる画像移動操作に応じて、基準画像の位置が補正される。
【０２１３】
したがって、外部装置と近接無線通信可能な位置に通信装置を案内するための基準画像が表示され、外部装置の表面に形成された目標マークと、表示部に表示される基準画像とを一致させる画像移動操作に応じて、基準画像の位置が補正される。これにより、補正された基準画像を用いて通信装置のアンテナと外部機器のアンテナとの位置合わせを正確に行うことができる。
【０２１４】
本発明の他の局面に係る通信プログラムは、近接無線通信を利用して外部装置と通信するための通信プログラムであって、通信装置の種類を識別するための通信装置識別情報に基づき、前記外部装置と前記近接無線通信可能な位置に前記通信装置を案内するための基準画像を取得する基準画像取得部と、前記基準画像取得部によって取得された前記基準画像を、前記通信装置を前記外部装置に近接させる際の前記外部装置に対向する面とは反対の面に設けられた表示部に表示する基準画像表示制御部と、前記外部装置の表面に形成された目標マークと、前記表示部に表示される前記基準画像とを一致させる画像移動操作に応じて、前記基準画像の位置を補正する基準画像補正部としてコンピュータを機能させる。
【０２１５】
この構成によれば、基準画像取得部は、通信装置の種類を識別するための通信装置識別情報に基づき、外部装置と近接無線通信可能な位置に通信装置を案内するための基準画像を取得する。基準画像表示制御部は、基準画像取得部によって取得された基準画像を、通信装置を外部装置に近接させる際の外部装置に対向する面とは反対の面に設けられた表示部に表示する。基準画像補正部は、外部装置の表面に形成された目標マークと、表示部に表示される基準画像とを一致させる画像移動操作に応じて、基準画像の位置を補正する。
【０２１６】
したがって、外部装置と近接無線通信可能な位置に通信装置を案内するための基準画像が表示され、外部装置の表面に形成された目標マークと、表示部に表示される基準画像とを一致させる画像移動操作に応じて、基準画像の位置が補正される。これにより、補正された基準画像を用いて通信装置のアンテナと外部機器のアンテナとの位置合わせを正確に行うことができる。
【０２１７】
本発明の他の局面に係るサーバ装置は、近接無線通信を利用して外部装置と通信する通信装置へ、ネットワークを介してプログラムを送信するサーバ装置であって、前記プログラムは、前記通信装置を、前記通信装置の種類を識別するための通信装置識別情報に基づき、前記外部装置と前記近接無線通信可能な位置に前記通信装置を案内するための基準画像を含む画像情報を取得し、前記通信装置を前記外部装置に近接させる際の前記外部装置に対向する面とは反対の面に設けられた、前記通信装置が備える表示部に、前記取得された画像情報に基づいて前記基準画像を表示し、前記外部装置の表面に形成された目標マークの位置と、前記表示部に表示される前記基準画像の位置とを一致させる画像移動操作に応じて、前記基準画像の表示位置を補正する通信装置として機能させるプログラムである。
【０２１８】
この構成によれば、通信装置は、通信装置の種類を識別するための通信装置識別情報に基づき、外部装置と近接無線通信可能な位置に通信装置を案内するための基準画像を含む画像情報を取得し、通信装置を外部装置に近接させる際の外部装置に対向する面とは反対の面に設けられた、通信装置が備える表示部に、取得された画像情報に基づいて基準画像を表示し、外部装置の表面に形成された目標マークの位置と、表示部に表示される基準画像の位置とを一致させる画像移動操作に応じて、基準画像の表示位置を補正する。
【０２１９】
したがって、外部装置と近接無線通信可能な位置に通信装置を案内するための基準画像が表示され、外部装置の表面に形成された目標マークの位置と、表示部に表示される基準画像の位置とを一致させる画像移動操作に応じて、基準画像の表示位置が補正される。これにより、補正された基準画像を用いて通信装置のアンテナと外部機器のアンテナとの位置合わせを正確に行うことができる。
【０２２０】
また、上記のサーバ装置において、前記プログラムは、前記通信装置を、さらに、前記補正された基準画像の表示位置を示す第１補正情報を作成し、前記作成された第１補正情報を、前記基準画像に対応付けて記憶する通信装置として機能させるプログラムであることが好ましい。
【０２２１】
この構成によれば、補正された基準画像の表示位置を示す第１補正情報が、基準画像に対応付けて記憶されるので、記憶された第１補正情報に基づいて基準画像を補正して表示することができる。また、記憶された第１補正情報に基づいて基準画像が補正して表示されるので、基準画像を補正するための処理時間を短縮することができる。
【０２２２】
また、上記のサーバ装置において、前記プログラムは、前記通信装置を、さらに、前記補正された基準画像の表示位置を示す第１補正情報を作成し、前記作成された第１補正情報を送信する通信装置として機能させるプログラムであることが好ましい。
【０２２３】
この構成によれば、補正された基準画像の表示位置を示す第１補正情報が送信されるので、第１補正情報がサーバ装置に送信されることにより、サーバ装置から他の通信装置に対して第１補正情報を送信することができる。これにより、他の通信装置においても適切な位置に補正された基準画像を表示することができる。
【０２２４】
また、上記のサーバ装置において、前記プログラムは、前記通信装置を、さらに、前記基準画像を、前記画像情報に含まれる、基準画像の表示位置を示す第２補正情報に示される表示位置に表示する通信装置として機能させるプログラムであることが好ましい。
【０２２５】
この構成によれば、基準画像が、画像情報に含まれる、基準画像の表示位置を示す第２補正情報に示される表示位置に表示されるので、基準画像を補正するための処理時間を短縮することができる。また、他の通信装置によって作成された第２補正情報を取得することにより、他の通信装置によって作成された第２補正情報を利用して基準画像を補正して表示することができる。
【０２２６】
また、上記のサーバ装置において、前記プログラムは、前記通信装置を、さらに、前記通信装置識別情報と、前記外部装置を識別するための外部装置識別情報とに基づいて定まる基準画像を含む画像情報を取得する通信装置として機能させるプログラムであることが好ましい。
【０２２７】
この構成によれば、通信装置識別情報と、外部装置を識別するための外部装置識別情報とに基づいて定まる基準画像を含む画像情報が取得されるので、外部装置の種類に応じた基準画像を表示することができる。
【０２２８】
また、上記のサーバ装置において、前記プログラムは、前記通信装置を、さらに、複数の第１補正情報を作成し、前記作成された複数の第１補正情報を平均化する通信装置として機能させるプログラムであることが好ましい。
【０２２９】
この構成によれば、作成された複数の第１補正情報が平均化されるので、第１補正情報の精度をより高めることができる。
【０２３０】
また、上記のサーバ装置において、前記プログラムは、前記通信装置を、さらに、前記通信装置が備える撮像部を用いて前記外部装置を撮像し、前記撮像された撮像画像内における前記外部装置を判別し、前記外部装置に設けられた前記近接無線通信のための電波を送受信するアンテナ部の位置を示すマーカ画像を、前記撮像画像内の判別された前記外部装置の画像に重畳する通信装置として機能させるプログラムであることが好ましい。
【０２３１】
この構成によれば、外部装置に設けられた近接無線通信のための電波を送受信するアンテナ部の位置を示すマーカ画像が、撮像画像内の判別された外部装置の画像に重畳して表示される。これにより、外部装置の表面にアンテナ部の位置を示すマークを設ける必要がなくなり、外部装置のデザイン性を損なうことなく、外部装置のアンテナ部の位置をユーザに報知することができる。
【０２３２】
本発明の他の局面に係るサーバ装置は、近接無線通信を利用して外部装置と通信する通信装置とネットワークを介して接続されるサーバ装置であって、前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて記憶する基準画像記憶部と、前記通信装置から前記通信装置識別情報を受信する通信装置識別情報受信部と、前記通信装置識別情報受信部によって受信された前記通信装置識別情報に基づいて前記基準画像記憶部から前記基準画像を選択し、選択した前記基準画像を前記通信装置へ送信する基準画像送信部と、前記位置補正情報を前記通信装置から受信し、受信した前記位置補正情報に、前記基準画像記憶部に記憶されている前記位置補正情報を更新する位置補正情報受信部とを備える。
【０２３３】
この構成によれば、基準画像記憶部は、通信装置の種類を識別するための通信装置識別情報と、外部装置と近接無線通信可能な位置に通信装置を案内するための基準画像と、補正された基準画像の位置を示す位置補正情報とを対応付けて記憶する。通信装置識別情報受信部は、通信装置から通信装置識別情報を受信する。基準画像送信部は、通信装置識別情報受信部によって受信された通信装置識別情報に基づいて基準画像記憶部から基準画像を選択し、選択した基準画像を通信装置へ送信する。位置補正情報受信部は、位置補正情報を通信装置から受信し、受信した位置補正情報に、基準画像記憶部に記憶されている位置補正情報を更新する。
【０２３４】
したがって、位置補正情報が通信装置から受信され、受信された位置補正情報に、基準画像記憶部に記憶されている位置補正情報が更新される。これにより、補正された基準画像の位置を示す位置補正情報を通信装置から取得することができ、他の通信装置に位置補正情報を提供することができる。
【０２３５】
また、上記のサーバ装置において、前記位置補正情報受信部は、前記通信装置識別情報に対応する複数の位置補正情報を受信し、前記位置補正情報受信部によって受信された前記通信装置識別情報に対応する複数の位置補正情報を平均化する平均化部をさらに備えることが好ましい。
【０２３６】
この構成によれば、位置補正情報受信部は、通信装置識別情報に対応する複数の位置補正情報を受信する。平均化部は、位置補正情報受信部によって受信された通信装置識別情報に対応する複数の位置補正情報を平均化する。
【０２３７】
したがって、受信された通信装置識別情報に対応する複数の複数の位置補正情報が平均化されるので、位置補正情報の精度をより高めることができる。
【０２３８】
本発明の他の局面に係る通信方法は、近接無線通信を利用して外部装置と通信する通信装置とネットワークを介して接続されるサーバ装置で実行される通信方法であって、前記通信装置から前記通信装置の種類を識別するための通信装置識別情報を受信し、前記受信された通信装置識別情報と対応付けられて記憶部に記憶されている、前記外部装置と前記近接無線通信可能な位置に前記通信装置を案内するための基準画像を前記通信装置へ送信し、前記送信された基準画像を表示する表示位置を補正する第１補正情報を前記通信装置から受信し、前記受信された第１補正情報に基づいて、前記受信された通信装置識別情報と対応付けられて記憶部に記憶されている、補正された前記基準画像の位置を示す第２補正情報を更新する。
【０２３９】
この構成によれば、通信装置から通信装置の種類を識別するための通信装置識別情報が受信される。受信された通信装置識別情報と対応付けられて記憶部に記憶されている、外部装置と近接無線通信可能な位置に通信装置を案内するための基準画像が通信装置へ送信される。送信された基準画像を表示する表示位置を補正する第１補正情報が通信装置から受信される。受信された第１補正情報に基づいて、受信された通信装置識別情報と対応付けられて記憶部に記憶されている、補正された基準画像の位置を示す第２補正情報が更新される。
【０２４０】
したがって、第１補正情報が通信装置から受信され、受信された第１補正情報に基づいて、記憶部に記憶されている、補正された基準画像の位置を示す第２補正情報が更新される。これにより、補正された基準画像の位置を示す第１補正情報を通信装置から取得することができ、他の通信装置に第２補正情報を提供することができる。
【０２４１】
また、上記の通信方法において、前記通信方法は、さらに、前記受信された通信装置識別情報と対応付けられて記憶されている第２補正情報を前記通信装置へ送信することが好ましい。
【０２４２】
この構成によれば、受信された通信装置識別情報と対応付けられて記憶されている第２補正情報が通信装置へ送信されるので、通信装置に第２補正情報を提供することができる。
【０２４３】
また、上記の通信方法において、前記通信方法は、さらに、前記外部装置を識別するための外部装置識別情報を前記通信装置から受信し、前記受信された外部装置識別情報に基づいて、前記受信された通信装置識別情報と対応付けられて記憶されている基準画像を前記通信装置へ送信することが好ましい。
【０２４４】
この構成によれば、外部装置を識別するための外部装置識別情報が通信装置から受信される。受信された外部装置識別情報に基づいて、受信された通信装置識別情報と対応付けられて記憶されている基準画像が通信装置へ送信される。
【０２４５】
したがって、外部装置識別情報に基づいて、受信された通信装置識別情報と対応付けられて記憶されている基準画像が通信装置へ送信されるので、通信装置は、外部装置の種類に応じた基準画像を表示することができる。
【０２４６】
本発明の他の局面に係るサーバ装置の情報更新方法は、近接無線通信を利用して外部装置と通信する通信装置とネットワークを介して接続されるサーバ装置の情報更新方法であって、前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて基準画像記憶部に記憶する基準画像記憶ステップと、前記通信装置から前記通信装置識別情報を受信する通信装置識別情報受信ステップと、前記通信装置識別情報受信ステップにおいて受信された前記通信装置識別情報に基づいて前記基準画像記憶部から前記基準画像を選択し、選択した前記基準画像を前記通信装置へ送信する基準画像送信ステップと、前記位置補正情報を前記通信装置から受信し、受信した前記位置補正情報に、前記基準画像記憶部に記憶されている前記位置補正情報を更新する位置補正情報更新ステップとを含む。
【０２４７】
この構成によれば、基準画像記憶ステップにおいて、通信装置の種類を識別するための通信装置識別情報と、外部装置と近接無線通信可能な位置に通信装置を案内するための基準画像と、補正された基準画像の位置を示す位置補正情報とが対応付けて基準画像記憶部に記憶される。次に、通信装置識別情報受信ステップにおいて、通信装置から通信装置識別情報が受信される。次に、基準画像送信ステップにおいて、通信装置識別情報受信ステップにおいて受信された通信装置識別情報に基づいて基準画像記憶部から基準画像が選択され、選択された基準画像が通信装置へ送信される。次に、位置補正情報更新ステップにおいて、位置補正情報が通信装置から受信され、受信された位置補正情報に、基準画像記憶部に記憶されている位置補正情報が更新される。
【０２４８】
したがって、位置補正情報が通信装置から受信され、受信された位置補正情報に、基準画像記憶部に記憶されている位置補正情報が更新される。これにより、補正された基準画像の位置を示す位置補正情報を通信装置から取得することができ、他の通信装置に位置補正情報を提供することができる。
【０２４９】
本発明の他の局面に係る通信システムは、近接無線通信を利用して前記外部装置と通信する通信装置と、前記通信装置とネットワークを介して接続されるサーバ装置とを備える通信システムであって、前記通信装置は、前記近接無線通信のための電波を送受信するアンテナ部と、前記通信装置を前記外部装置に近接させる際の前記外部装置に対向する面とは反対の面に設けられた表示部と、前記通信装置の種類を識別するための通信装置識別情報に基づき、前記外部装置と前記近接無線通信可能な位置に前記通信装置を案内するための基準画像を取得する基準画像取得部と、前記基準画像取得部によって取得された前記基準画像を前記表示部に表示する基準画像表示制御部と、前記外部装置の表面に形成された目標マークと、前記表示部に表示される前記基準画像とを一致させる画像移動操作に応じて、前記基準画像の位置を補正する基準画像補正部とを備え、前記サーバ装置は、前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて記憶する基準画像記憶部と、前記通信装置から前記通信装置識別情報を受信する通信装置識別情報受信部と、前記通信装置識別情報受信部によって受信された前記通信装置識別情報に基づいて前記基準画像記憶部から前記基準画像を選択し、選択した前記基準画像を前記通信装置へ送信する基準画像送信部と、前記位置補正情報を前記通信装置から受信し、受信した前記位置補正情報に、前記基準画像記憶部に記憶されている前記位置補正情報を更新する位置補正情報受信部とを備える。
【０２５０】
この構成によれば、通信装置のアンテナ部は、近接無線通信のための電波を送受信する。表示部は、通信装置を外部装置に近接させる際の外部装置に対向する面とは反対の面に設けられる。基準画像取得部は、通信装置の種類を識別するための通信装置識別情報に基づき、外部装置と近接無線通信可能な位置に通信装置を案内するための基準画像を取得する。基準画像表示制御部は、基準画像取得部によって取得された基準画像を表示部に表示する。基準画像補正部は、外部装置の表面に形成された目標マークと、表示部に表示される基準画像とを一致させる画像移動操作に応じて、基準画像の位置を補正する。サーバ装置の基準画像記憶部は、通信装置の種類を識別するための通信装置識別情報と、外部装置と近接無線通信可能な位置に通信装置を案内するための基準画像と、補正された基準画像の位置を示す位置補正情報とを対応付けて記憶する。通信装置識別情報受信部は、通信装置から通信装置識別情報を受信する。基準画像送信部は、通信装置識別情報受信部によって受信された通信装置識別情報に基づいて基準画像記憶部から基準画像を選択し、選択した基準画像を通信装置へ送信する。位置補正情報受信部は、位置補正情報を通信装置から受信し、受信した位置補正情報に、基準画像記憶部に記憶されている位置補正情報を更新する。
【０２５１】
したがって、外部装置と近接無線通信可能な位置に通信装置を案内するための基準画像が表示され、外部装置の表面に形成された目標マークと、表示部に表示される基準画像とを一致させる画像移動操作に応じて、基準画像の位置が補正される。これにより、補正された基準画像を用いて通信装置のアンテナと外部機器のアンテナとの位置合わせを正確に行うことができる。また、位置補正情報が通信装置から受信され、受信された位置補正情報に、基準画像記憶部に記憶されている位置補正情報が更新される。これにより、補正された基準画像の位置を示す位置補正情報を通信装置から取得することができ、他の通信装置に位置補正情報を提供することができる。
【０２５２】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０２５３】
本発明に係る通信装置、通信方法、通信プログラム、サーバ装置、サーバ装置の情報更新方法、及び通信システムは、補正された基準画像を用いて通信装置のアンテナと外部機器のアンテナとの位置合わせを正確に行うことができ、近接無線通信を利用して外部装置と通信する通信装置、通信方法及び通信プログラム、近接無線通信を利用して外部装置と通信する通信装置とネットワークを介して接続されるサーバ装置、サーバ装置の情報更新方法、及び通信装置とサーバ装置とを備える通信システムに有用である。
【図１】
2013128816.tif 000003
【図２】
2013128816.tif 000004
【図３】
2013128816.tif 000005
【図４】
2013128816.tif 000006
【図５】
2013128816.tif 000007
【図６】
2013128816.tif 000008
【図７】
2013128816.tif 000009
【図８】
2013128816.tif 000010
【図９】
2013128816.tif 000011
【図１０】
2013128816.tif 000012
【図１１】
2013128816.tif 000013
【図１２】
2013128816.tif 000014
【図１３】
2013128816.tif 000015
【図１４】
2013128816.tif 000016
【図１５】
2013128816.tif 000017
【図１６】
2013128816.tif 000018
【図１７】
2013128816.tif 000019
【図１８】
2013128816.tif 000020
【図１９】
2013128816.tif 000021
【図２０】
2013128816.tif 000022
【図２１】
2013128816.tif 000023
【図２２】
2013128816.tif 000024
【図２３】
2013128816.tif 000025
【図２４】
2013128816.tif 000026
【図２５】
2013128816.tif 000027
【図２６】
2013128816.tif 000028
【図２７】
2013128816.tif 000029
【図２８】
2013128816.tif 000030
【図２９】
2013128816.tif 000031
【図３０】
2013128816.tif 000032
【図３１】
2013128816.tif 000033
【図３２】
2013128816.tif 000034
【図３３】
2013128816.tif 000035
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
近接無線通信を利用して外部装置と通信する通信装置であって、
前記近接無線通信のための電波を送受信するアンテナ部と、
前記通信装置を前記外部装置に近接させる際の前記外部装置に対向する面とは反対の面に設けられた表示部と、
前記通信装置の種類を識別するための通信装置識別情報に基づき、前記外部装置と前記近接無線通信可能な位置に前記通信装置を案内するための基準画像を取得する基準画像取得部と、
前記基準画像取得部によって取得された前記基準画像を前記表示部に表示する基準画像表示制御部と、
前記外部装置の表面に形成された目標マークと、前記表示部に表示される前記基準画像とを一致させる画像移動操作に応じて、前記基準画像の位置を補正する基準画像補正部とを備えることを特徴とする通信装置。
【請求項２】
近接無線通信を利用して外部装置と通信するための通信方法であって、
通信装置の種類を識別するための通信装置識別情報に基づき、前記外部装置と前記近接無線通信可能な位置に前記通信装置を案内するための基準画像を取得する基準画像取得ステップと、
前記基準画像取得ステップにおいて取得された前記基準画像を、前記通信装置を前記外部装置に近接させる際の前記外部装置に対向する面とは反対の面に設けられた表示部に表示する基準画像表示制御ステップと、
前記外部装置の表面に形成された目標マークと、前記表示部に表示される前記基準画像とを一致させる画像移動操作に応じて、前記基準画像の位置を補正する基準画像補正ステップとを含むことを特徴とする通信方法。
【請求項３】
近接無線通信を利用して外部装置と通信するための通信プログラムであって、
通信装置の種類を識別するための通信装置識別情報に基づき、前記外部装置と前記近接無線通信可能な位置に前記通信装置を案内するための基準画像を取得する基準画像取得部と、
前記基準画像取得部によって取得された前記基準画像を、前記通信装置を前記外部装置に近接させる際の前記外部装置に対向する面とは反対の面に設けられた表示部に表示する基準画像表示制御部と、
前記外部装置の表面に形成された目標マークと、前記表示部に表示される前記基準画像とを一致させる画像移動操作に応じて、前記基準画像の位置を補正する基準画像補正部としてコンピュータを機能させることを特徴とする通信プログラム。
【請求項４】
近接無線通信を利用して外部装置と通信するための通信プログラムを記録したコンピュータ読み取り可能な記録媒体であって、
前記通信装置の種類を識別するための通信装置識別情報に基づき、前記外部装置と前記近接無線通信可能な位置に前記通信装置を案内するための基準画像を含む画像情報を取得する基準画像取得部と、
前記通信装置を前記外部装置に近接させる際の前記外部装置に対向する面とは反対の面に設けられた、前記通信装置が備える表示部に、前記取得された画像情報に基づいて前記基準画像を表示する基準画像表示制御部と、
前記外部装置の表面に形成された目標マークの位置と、前記表示部に表示される前記基準画像の位置とを一致させる画像移動操作に応じて、前記基準画像の表示位置を補正する基準画像補正部としてコンピュータを機能させることを特徴とする通信プログラムを記録したコンピュータ読み取り可能な記録媒体。
【請求項５】
前記補正された基準画像の表示位置を示す第１補正情報を作成する位置補正情報作成部と、
前記作成された第１補正情報を、前記基準画像に対応付けて記憶する基準画像記憶部としてコンピュータをさらに機能させることを特徴とする請求項４記載の通信プログラムを記録したコンピュータ読み取り可能な記録媒体。
【請求項６】
前記補正された基準画像の表示位置を示す第１補正情報を作成する位置補正情報作成部と、
前記作成された第１補正情報を送信する位置補正情報送信部としてコンピュータをさらに機能させることを特徴とする請求項４記載の通信プログラムを記録したコンピュータ読み取り可能な記録媒体。
【請求項７】
前記基準画像表示制御部は、前記基準画像を、前記画像情報に含まれる、基準画像の表示位置を示す第２補正情報に示される表示位置に表示することを特徴とする請求項４記載の通信プログラムを記録したコンピュータ読み取り可能な記録媒体。
【請求項８】
前記基準画像取得部は、前記通信装置識別情報と、前記外部装置を識別するための外部装置識別情報とに基づいて定まる基準画像を含む画像情報を取得することを特徴とする請求項４記載の通信プログラムを記録したコンピュータ読み取り可能な記録媒体。
【請求項９】
前記位置補正情報作成部は、複数の前記第１補正情報を作成し、
前記作成された複数の第１補正情報を平均化する平均化部としてコンピュータをさらに機能させることを特徴とする請求項５記載の通信プログラムを記録したコンピュータ読み取り可能な記録媒体。
【請求項１０】
前記外部装置を撮像する撮像部と、
前記撮像された撮像画像内における前記外部装置を判別し、前記外部装置に設けられた前記近接無線通信のための電波を送受信するアンテナ部の位置を示すマーカ画像を、前記撮像画像内の判別された前記外部装置の画像に重畳する画像合成部としてコンピュータをさらに機能させることを特徴とする請求項４記載の通信プログラムを記録したコンピュータ読み取り可能な記録媒体。
【請求項１１】
近接無線通信を利用して外部装置と通信する通信装置とネットワークを介して接続されるサーバ装置であって、
前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて記憶する基準画像記憶部と、
前記通信装置から前記通信装置識別情報を受信する通信装置識別情報受信部と、
前記通信装置識別情報受信部によって受信された前記通信装置識別情報に基づいて前記基準画像記憶部から前記基準画像を選択し、選択した前記基準画像を前記通信装置へ送信する基準画像送信部と、
前記位置補正情報を前記通信装置から受信し、受信した前記位置補正情報に、前記基準画像記憶部に記憶されている前記位置補正情報を更新する位置補正情報受信部とを備えることを特徴とするサーバ装置。
【請求項１２】
前記位置補正情報受信部は、前記通信装置識別情報に対応する複数の位置補正情報を受信し、
前記位置補正情報受信部によって受信された前記通信装置識別情報に対応する複数の位置補正情報を平均化する平均化部をさらに備えることを特徴とする請求項１１記載のサーバ装置。
【請求項１３】
近接無線通信を利用して外部装置と通信する通信装置とネットワークを介して接続されるサーバ装置で実行される通信方法であって、
前記通信装置から前記通信装置の種類を識別するための通信装置識別情報を受信し、
前記受信された通信装置識別情報と対応付けられて記憶部に記憶されている、前記外部装置と前記近接無線通信可能な位置に前記通信装置を案内するための基準画像を前記通信装置へ送信し、
前記送信された基準画像を表示する表示位置を補正する第１補正情報を前記通信装置から受信し、
前記受信された第１補正情報に基づいて、前記受信された通信装置識別情報と対応付けられて記憶部に記憶されている、補正された前記基準画像の位置を示す第２補正情報を更新することを特徴とする通信方法。
【請求項１４】
前記通信方法は、さらに、
前記受信された通信装置識別情報と対応付けられて記憶されている第２補正情報を前記通信装置へ送信する
ことを特徴とする請求項１３記載の通信方法。
【請求項１５】
前記通信方法は、さらに、
前記外部装置を識別するための外部装置識別情報を前記通信装置から受信し、
前記受信された外部装置識別情報に基づいて、前記受信された通信装置識別情報と対応付けられて記憶されている基準画像を前記通信装置へ送信する
ことを特徴とする請求項１３記載の通信方法。
【請求項１６】
近接無線通信を利用して外部装置と通信する通信装置と、前記通信装置とネットワークを介して接続されるサーバ装置とを備える通信システムであって、
前記通信装置は、
前記近接無線通信のための電波を送受信するアンテナ部と、
前記通信装置を前記外部装置に近接させる際の前記外部装置に対向する面とは反対の面に設けられた表示部と、
前記通信装置の種類を識別するための通信装置識別情報に基づき、前記外部装置と前記近接無線通信可能な位置に前記通信装置を案内するための基準画像を取得する基準画像取得部と、
前記基準画像取得部によって取得された前記基準画像を前記表示部に表示する基準画像表示制御部と、
前記外部装置の表面に形成された目標マークと、前記表示部に表示される前記基準画像とを一致させる画像移動操作に応じて、前記基準画像の位置を補正する基準画像補正部とを備え、
前記サーバ装置は、
前記通信装置の種類を識別するための通信装置識別情報と、前記外部装置と前記近接無線通信可能な位置に前記通信装置を案内するための基準画像と、補正された前記基準画像の位置を示す位置補正情報とを対応付けて記憶する基準画像記憶部と、
前記通信装置から前記通信装置識別情報を受信する通信装置識別情報受信部と、
前記通信装置識別情報受信部によって受信された前記通信装置識別情報に基づいて前記基準画像記憶部から前記基準画像を選択し、選択した前記基準画像を前記通信装置へ送信する基準画像送信部と、
前記位置補正情報を前記通信装置から受信し、受信した前記位置補正情報に、前記基準画像記憶部に記憶されている前記位置補正情報を更新する位置補正情報受信部とを備えることを特徴とする通信システム。
【国際調査報告】
2013128816.tif 000036
2013128816.tif 000037
2013128816.tif 000038
2013128816.tif 000039
2013128816.tif 000040
2013128816.tif 000041
2013128816.tif 000042
2013128816.tif 000043